(57)【特許請求の範囲】
【請求項１】
複数の無線端末に対してパケットの送信を行う通信システムにおける呼受付制御装置であって、
通信中の前記無線端末の平均伝送速度を測定する伝送速度把握手段と、
最低伝送速度の値を設定する最低伝送速度設定手段と、
前記無線端末の平均伝送速度の値が、前記最低伝送速度の値よりも小さいか否かを判定する判定手段と、
前記平均伝送速度が前記最低伝送速度よりも小さいと判定された無線端末の数と、その無線端末の数の割合と、のうちの少なくとも１つが、所定の閾値よりも大きい場合に、新規の無線端末を受け付けない新規無線端末受付手段と、
を備えることを特徴とする呼受付制御装置。
【請求項２】
複数の無線端末に対してパケットの送信を行う通信システムにおける呼受付制御装置であって、
通信中の前記無線端末の平均伝送速度を測定する伝送速度把握手段と、
最低伝送速度の値を設定する最低伝送速度設定手段と、
前記無線端末の平均伝送速度の値が前記判定手段によって前記最低伝送速度の値よりも小さいと判定された場合に、前記無線端末の平均伝送速度の値を初期化する平均伝送速度初期化手段と、
前記平均伝送速度が前記最低伝送速度よりも小さいと判定された無線端末の数と、その無線端末の数の割合と、前記平均伝送速度初期化手段によって前記平均伝送速度を初期化された無線端末の数と、その無線端末の数の割合とのうちの少なくとも１つが、所定の閾値よりも大きい場合に、新規の無線端末を受け付けない新規無線端末受付手段と、
を備えることを特徴とする呼受付制御装置。
【請求項３】
複数の無線端末ｎ（ｎは無線端末の添え字）に対してパケットの送信を行う通信システムにおける呼受付制御装置であって、
通信中の前記無線端末ｎの無線状態Ｒｎと、通信中の前記無線端末ｎの伝送速度avrgＲｎと、を把握する状態把握手段と、
最低伝送速度targetＲｎ及び伝送速度閾値Ｒthresholdを設定する最低伝送速度設定手段と、
前記伝送速度avrgＲｎから前記最低伝送速度targetＲｎを引いたものが、前記伝送速度閾値Ｒthresholdよりも小さい場合に、前記伝送速度avrgＲｎの値を初期化する伝送速度初期化手段と、
前記無線状態Ｒｎをべき乗する指数αと、前記伝送速度avrgＲｎから前記最低伝送送度targetＲｎを引いたものをべき乗する指数βと、を設定する設定手段と、
各無線端末ｎに対する評価関数Ｃｎを、
Ｃｎ＝Ｒｎα／（avrgＲｎ−targetＲｎ）β
に従って算出する評価関数算出手段と、
前記評価関数Ｃｎが最大となる無線端末を送信相手の無線端末として選択する無線端末選択手段と、
前記伝送速度avrgＲｎを初期化された無線端末ｎの数とその割合との少なくとも１つが、所定の閾値よりも大きい場合に、新規の無線端末を受け付けない新規無線端末受付手段と、を有することを特徴とする呼受付制御装置。
【請求項４】
請求項３に記載の呼受付制御装置であって、
前記伝送速度初期化手段は、連続する所定の時間間隔において、前記伝送速度avrgＲｎ−targetＲｎが、前記伝送速度閾値Ｒthresholdよりも小さい場合に、前記伝送速度avrgＲｎの値を初期化することを特徴とする呼受付制御装置。
【請求項５】
請求項１から３のいずれか１項に記載の呼受付制御装置であって、
前記新規無線端末受付手段は、
前記平均伝送速度が前記最低伝送速度よりも小さいと判定された無線端末の数と、その無線端末の数の割合と、前記平均伝送速度を初期化された無線端末の数と、その無線端末の数の割合とのうちの少なくとも１つが、所定の閾値より大きく、かつ、前記通信を行っている無線端末の数とその割合との少なくとも一方が、別の所定の閾値よりも大きい場合に、新規の無線端末を受け付けないことを特徴とする呼受付制御装置。
【請求項６】
請求項１から請求項３までのいずれか１項に記載の呼受付制御装置であって、
前記新規無線端末受付手段は、前記平均伝送速度が前記最低伝送速度よりも小さいと判定された無線端末の数と、その無線端末の数の割合と、前記平均伝送速度を初期化された無線端末の数と、その無線端末の数の割合とのうちの少なくとも１つを計算する際、サービス種別、契約種別、端末種別、ユーザ識別子、及び、Priority Classの少なくとも１つに応じて計算することを特徴とする呼受付制御装置。
【請求項７】
請求項１から請求項６までのいずれか１項に記載の呼受付制御装置であって、
前記通信システムは、HSDPAを適用する通信システムであることを特徴とする呼受付制御装置。
【請求項８】
請求項１から請求項６までのいずれか１項に記載の呼受付制御装置であって、
前記通信システムは、Evolved UTRA and UTRAN(別名：Long Term Evolution,あるいは，Super 3G)を適用する通信システムであることを特徴とする呼受付制御装置。
【請求項９】
複数の無線端末に対してパケットの送信を行う通信システムにおける呼受付制御方法であって、
通信中の前記無線端末の平均伝送速度を測定する伝送速度把握ステップと、
最低伝送速度の値を設定する最低伝送速度設定ステップと、
前記無線端末の平均伝送速度の値が、前記最低伝送速度の値よりも小さいか否かを判定する判定ステップと、
前記平均伝送速度の値が前記最低伝送速度の値よりも小さいと判定された無線端末の数と、その割合とのうちの少なくとも１つが所定の閾値よりも大きい場合、新規の無線端末を受け付けない新規無線端末受付ステップと、を含むことを特徴とする呼受付制御方法。
【請求項１０】
前記最低伝送速度設定手段は、サービス種別毎に、契約種別毎に、端末種別毎に、セル種別毎に、又は優先度クラス毎に、前記最低伝送速度を設定することを特徴とする請求項１に記載の呼受付制御装置。
【発明の詳細な説明】
【技術分野】
【０００１】
本発明は呼受付制御装置、呼受付制御方法に関し、特に移動体通信におけるパケット通信システムにおいて呼受付制御を行う呼受付制御装置、呼受付制御方法に関する。
【背景技術】
【０００２】
移動通信システムは有限のリソース（周波数や電力）を用いて通信を行うシステムであり、その通信容量には上限が存在する。よって、上記通信容量に応じて、セル内の移動局の数を制限する必要がある。具体的には、新規の無線端末が当該セルにおいて通信を開始しようとした場合に、上記新規の無線端末が当該セルにおいて通信を開始してよいか否かを判定する必要があり、このような制御を呼受付制御という。また、新規の無線端末が当該セルにおいて通信を開始してはいけないと判定するような状況、すなわち、上記通信容量をほぼ１００％使用している状況を容量限界と呼ぶ。
【０００３】
従来の呼受付制御としては、例えば、当該セル内で通信中の移動局の総数が所定の閾値を超えていない場合に、新規の無線端末が通信を開始することを許可し、当該セル内で通信中の移動局の総数が所定の閾値を超えている場合に、新規の無線端末が通信を開始することを許可しないといった制御方法がある。
ところで、第３世代移動通信システム、いわゆるＩＭＴ（International Mobile Telecommunications）−２０００の標準化については、地域標準化機関等により組織された３ＧＰＰ／３ＧＰＰ２（Third-Generation Partnership Project／Third-Generation Partnership Project2）において、前者ではＷ−ＣＤＭＡ方式、後者ではｃｄｍａ２０００方式に係る標準仕様が規定されている。
【０００４】
３ＧＰＰでは、近年のインターネットの急速な普及に伴い、特に下りリンクにおいてデータベースやＷｅｂサイトからのダウンロード等による高速・大容量のトラヒックが増加するとの予測に基づき下り方向の高速パケット伝送方式である「ＨＳＤＰＡ（High Speed Downlink Packet Access）」の仕様が規定されている（例えば、非特許文献１参照）。また、３ＧＰＰ２でも、上記同様の観点から下り方向の高速データ専用の伝送方式「１ｘＥＶ−ＤＯ」の仕様が規定されている（例えば、非特許文献２参照）。なお、ｃｄｍａ２０００  １xＥＶ-ＤＯにおいて、ＤＯはＤａｔａ  ｏｎｌｙの意味である。
【０００５】
以下では、ＨＳＤＰＡに関して、さらに説明を行う。
ＨＳＤＰＡは、複数の移動局が１つ又は２つ以上の共有チャネルを共有して通信を行うシステムであり、無線基地局は、ＴＴＩ（Time Transmission Interval、ＨＳＤＰＡでは２ｍｓ）毎に上記複数の移動局の中から上記共有チャネルを使用する移動局を選択し、パケットの送信を行う。この場合、そのデータトラヒックの発生の仕方によって、容量限界に達した場合のセル内の移動局の数に差が生じることになる。例えば、全ての移動局がＦＴＰ（File Transfer Protocol）によるダウンロードを行った場合と、全ての移動局がWeb browsingを行った場合とでは、前者よりも後者の方が、容量限界に達した場合のセル内の移動局数が大きくなる。その理由は、ＦＴＰによるダウンロードでは、移動局に対して常に送信すべきパケットが存在するが、Web browsingの場合には、ユーザがＷｅｂページを閲覧するリーディングタイムが存在するため、移動局に対して送信すべきパケットが存在しない時間帯が存在するからである。すなわち、Web browsingの場合には、１台の移動局が共有チャネルを使用する頻度が小さいため、より多くの移動局が１つの共有チャネルを共有することができる。以上より、ＨＳＤＰＡにおいては、データトラヒックの発生の仕方によって、容量限界において収容可能な移動局の数は変動してしまう。
【０００６】
また、ＨＳＤＰＡでは、移動局と無線基地局との間の無線状態に応じて無線チャネルの変調方式や符号化率を制御する方式（ＨＳＤＰＡでは、適応変調・符号化ＡＭＣＳ（Adaptive Modulation and Coding Scheme）と呼ばれている）を採用しており、移動局と無線基地局との間の無線状態（例えば、signal-to-interference power ratio（ＳＩＲ））に応じて、伝送速度が変動する。一方、上記無線状態（ＳＩＲ）は屋内環境や屋外環境、市街地や郊外といったセルの形態によって、大きく異なる。すなわち、ＨＳＤＰＡにおいては、セルの形態によっても、容量限界において収容可能な移動局の数は変動してしまう。
【０００７】
このようなＨＳＤＰＡにおいては、上述した従来方法の呼受付制御、すなわち、セル内において通信を行っている移動局の数に基づいた呼受付制御を行った場合、容量限界におけるセル内において通信を行っている移動局の数は一定であるため、各移動局の位置やセル内の形態に依存して、容量限界における各移動局の伝送速度が異なることになる。例えば、屋内環境では他セルからの干渉が少なく、無線品質が良好であるため、容量限界における各移動局の伝送速度が高いが、屋外環境では他セルからの干渉が多く、無線品質が良好ではないため、容量限界における各移動局の伝送速度が低いということが考えられる。
しかしながら、容量限界における各移動局の伝送速度は、ＨＳＤＰＡを用いて提供する通信のサービス性によって決定されるべきものであり、セル形態や各移動局の位置に関係なく、一定であることが望ましい。
【０００８】
以下では、ＨＳＤＰＡにおけるスケジューリングに関して説明を行う。上述したように、ＨＳＤＰＡは、複数の移動局が１つ又は２つ以上の共有チャネルを共有して通信を行うシステムであり、無線基地局は、ＴＴＩ（Time Transmission Interval、ＨＳＤＰＡでは２ｍｓ）毎に上記複数の移動局の中から上記共有チャネルを使用する移動局を選択し、パケットの送信を行う。この無線基地局がＴＴＩ毎に上記共有チャネルを使用する移動局を選択することをスケジューリングと呼ぶ。
【０００９】
このスケジューリングのアルゴリズムとしては、無線基地局装置に属する移動局に順（例えば、移動局＃１→＃２→＃３→…）に下り共有チャネルの送信割り当てパケットの送信順序を制御するラウンドロビンスケジューラが良く知られている。また、各移動局の無線状態や各移動局の平均伝送速度に基づいて送信待ちパケットの送信順序を制御するProportional FairnessスケジューラやＭＡＸ Ｃ／Ｉ（Maximum C/I）スケジューラが知られている。
【００１０】
例えば、Proportional Fairnessスケジューラは、評価関数
Ｃｎ＝Ｒｎ／avrgＲｎ
を各移動局に関して算出し、上記評価関数Ｃｎが最も大きい移動局に対してパケットを割り当てるというスケジューリングを行う。但し、Ｒｎは各移動局の瞬時の無線状態、avrgＲｎは各移動局の平均伝送速度である。
【００１１】
Proportional Fairnessスケジューラは、各々の移動局において、下り品質が比較的良い状況での送信割り当てが行われるため、ラウンドロビンスケジューラと比較して、高いスループットを得ることが期待できる。その上で、各移動局の平均伝送速度で除算することで、平均伝送速度が高い移動局の評価関数式の値を下げ、時間的な公平性の高い割り当てを実現することができる。
【００１２】
また、サービス性の観点から、最低伝送速度を考慮したProportional Fairnessスケジューリングを提供する方法が例えば特許文献１において提案されている。特許文献１では、評価関数Ｃｎとして、
Ｃｎ＝Ｒｎ／avrgＲｎ
の代わりに、
Ｃｎ＝Ｒｎ／（avrgＲｎ−targetＲ）
を用いることが提案されている。ここで、targetＲは、上記最低伝送速度である。
【００１３】
尚、3GPPでは，更なる高速パケット通信方式である，Evolved UTRA and UTRAN(別名：Long Term Evolution,あるいは，Super 3G)の仕様化が行われているが，上記Evolved UTRA and UTRAN(別名：Long Term Evolution,あるいは，Super 3G)は，上述したHSDPAの特徴である，共有チャネルを用いる，AMCを行う，共有チャネルの割り当てに関するスケジューリングを行う，といった特徴とほぼ同じ特徴を持つ．
その他、特許文献２では、呼を受け付けた場合における上り干渉量、下り総送信電力を推定し、その推定した上り干渉量が干渉量閾値以上であるか否か、下り総送信電力が送信電力閾値以上であるか否か、及び、使用されていない残りの拡散コード資源が拡散コード閾値以下であるか否かを判定し、その判定結果に応じて呼受付要求を認めるかどうか制御している。
【００１４】
また、特許文献３では、サービスの種別または優先度に応じて、新規の呼受付の規制を行っている。
さらに、特許文献４では、リソース使用状況やパケットユーザ数に応じて、新規の呼受付を規制している。
【特許文献１】特開２００５−１３００５３号公報
【特許文献２】特開２００２−２３２９４１号公報
【特許文献３】特開２００２−２２３２３９号公報
【特許文献４】特開２００２−２１７９５６号公報
【非特許文献１】３ＧＰＰ  TR25.848 v4.0.0
【非特許文献２】３ＧＰＰ２  C.S0024 Rev.1.0.0
【発明の開示】
【発明が解決しようとする課題】
【００１５】
上述したように、複数の移動局に対してパケットを送信する通信システムにおける呼受付制御方法として、当該セル内で通信を行っている移動局の総数が所定の閾値を超えた場合に新規の無線端末の受付を行わないという方法がある。
しかしながら、上記従来の呼受付制御方法では、パケットデータの生起の仕方やセルの形態に応じて適切に呼受付制御を行うことができない、という欠点がある、すなわち、従来の呼受付制御方法を行った場合、容量限界における移動局の伝送速度は、パケットデータの生起の仕方やセルの形態に応じて異なってしまう、という問題点が存在する。
【００１６】
本発明は上述した従来技術の問題点を解決するためになされたものであり、その目的はパケットデータの生起の仕方やセルの形態に対して適応的に呼受付制御を行い、新規呼の受け付けを効率良く制御することができる呼受付制御装置、呼受付制御方法を提供することである。
【課題を解決するための手段】
【００１８】
本発明の請求項１による呼受付制御装置は、複数の無線端末に対してパケットの送信を行う通信システムにおける呼受付制御装置であって、通信中の前記無線端末の平均伝送速度を測定する伝送速度把握手段と、最低伝送速度の値を設定する最低伝送速度設定手段と、前記無線端末の平均伝送速度の値が、前記最低伝送速度の値よりも小さいか否かを判定する判定手段と、前記平均伝送速度が前記最低伝送速度よりも小さいと判定された無線端末の数と、その無線端末の数の割合と、のうちの少なくとも１つが、所定の閾値よりも大きい場合に、新規の無線端末を受け付けない新規無線端末受付手段と、を備えることを特徴とする。平均伝送速度の値が最低伝送速度の値よりも小さいと判定された無線端末の数とその割合とのいずれか一方に基づいて、セル内の輻輳状態を推定し、呼受付制御を行うことにより、トラヒックの発生の仕方やセルの形態に関係無く適切に呼受付制御を行うことができる。また、このように呼受付制御を行うことにより、トラヒックの発生の仕方やセルの形態に関係無く適切に呼受付制御を行うことができる。
【００１９】
本発明の請求項２による呼受付制御装置は、複数の無線端末に対してパケットの送信を行う通信システムにおける呼受付制御装置であって、通信中の前記無線端末の平均伝送速度を測定する伝送速度把握手段と、最低伝送速度の値を設定する最低伝送速度設定手段と、前記無線端末の平均伝送速度の値が前記判定手段によって前記最低伝送速度の値よりも小さいと判定された場合に、前記無線端末の平均伝送速度の値を初期化する平均伝送速度初期化手段と、前記平均伝送速度が前記最低伝送速度よりも小さいと判定された無線端末の数と、その無線端末の数の割合と、前記平均伝送速度初期化手段によって前記平均伝送速度を初期化された無線端末の数と、その無線端末の数の割合とのうちの少なくとも１つが、所定の閾値よりも大きい場合に、新規の無線端末を受け付けない新規無線端末受付手段と、を備えることを特徴とする。スケジューリングにおいて、平均伝送速度の値が初期化された無線端末の数及びその割合のいずれか一方に基づいてセル内の輻輳状態を推定し、呼受付制御を行うことにより、トラヒックの発生の仕方やセルの形態に関係無く適切に呼受付制御を行うことができる。
【００２０】
本発明の請求項３による呼受付制御装置は、複数の無線端末ｎ（ｎは無線端末の添え字）に対してパケットの送信を行う通信システムにおける呼受付制御装置であって、通信中の前記無線端末ｎの無線状態Ｒｎと、通信中の前記無線端末ｎの伝送速度avrgＲｎと、を把握する状態把握手段と、最低伝送速度targetＲｎ及び伝送速度閾値Ｒthresholdを設定する最低伝送速度設定手段と、前記伝送速度avrgＲｎから前記最低伝送速度targetＲｎを引いたものが、前記伝送速度閾値Ｒthresholdよりも小さい場合に、前記伝送速度avrgＲｎの値を初期化する伝送速度初期化手段と、前記無線状態Ｒｎをべき乗する指数αと、前記伝送速度avrgＲｎから前記最低伝送送度targetＲｎを引いたものをべき乗する指数βと、を設定する設定手段と、各無線端末ｎに対する評価関数Ｃｎを、Ｃｎ＝Ｒｎα／（avrgＲｎ−targetＲｎ）βに従って算出する評価関数算出手段と、前記評価関数Ｃｎが最大となる無線端末を送信相手の無線端末として選択する無線端末選択手段と、前記伝送速度avrgＲｎを初期化された無線端末ｎの数とその割合との少なくとも１つが、所定の閾値よりも大きい場合に、新規の無線端末を受け付けない新規無線端末受付手段と、を有することを特徴とする。このように呼受付制御を行うことにより、トラヒックの発生の仕方やセルの形態に関係無く適切に呼受付制御を行うことができる。
【００２１】
本発明の請求項４による呼受付制御装置は、請求項３記載の呼受付制御装置であって、前記伝送速度初期化手段は、連続する所定の時間間隔において、前記伝送速度avrgＲｎ−targetＲｎが、前記伝送速度閾値Ｒthresholdよりも小さい場合に、前記伝送速度avrgＲｎの値を初期化することを特徴とする。所定の時間間隔においてこのように呼受付制御を行うことにより、トラヒックの発生の仕方やセルの形態に関係無く適切に呼受付制御を行うことができる。
【００２３】
本発明の請求項５による呼受付制御装置は、請求項１から請求項３までのいずれか１項に呼受付制御装置であって、前記新規無線端末受付手段は、前記平均伝送速度が前記最低伝送速度よりも小さいと判定された無線端末の数と、その無線端末の数の割合と、前記平均伝送速度を初期化された無線端末の数と、その無線端末の数の割合とのうちの少なくとも１つが、所定の閾値より大きく、かつ、前記通信を行っている無線端末の数とその割合との少なくとも一方が、別の所定の閾値よりも大きい場合に、新規の無線端末を受け付けないことを特徴とする。通信を行っている無線端末の数をも考慮した呼受付制御を行うことにより、より適切に呼受付制御を行うことができる。また、このように呼受付制御を行うことにより、より適切に呼受付制御を行うことができる。
【００２５】
本発明の請求項６による呼受付制御装置は、請求項１から請求項３までのいずれか１項に呼受付制御装置であって、前記新規無線端末受付手段は、前記平均伝送速度が前記最低伝送速度よりも小さいと判定された無線端末の数と、その無線端末の数の割合と、前記平均伝送速度を初期化された無線端末の数と、その無線端末の数の割合とのうちの少なくとも１つを計算する際、サービス種別、契約種別、端末種別、ユーザ識別子、及び、Priority Classの少なくとも１つに応じて計算することを特徴とする。サービス種別、契約種別、端末種別、ユーザ識別子、Priority Classを考慮した呼受付制御を行うことにより、より適切に呼受付制御を行うことができる。
【００２６】
本発明の請求項７による呼受付制御装置は、請求項１から請求項６までのいずれか１項に呼受付制御装置であって、前記通信システムは、HSDPAを適用する通信システムであることを特徴とする。結果として、HSDPAを適用する通信システムにおいて、より適切に呼受付制御を行うことができる。
本発明の請求項８による呼受付制御装置は、請求項１から請求項６までのいずれか１項に呼受付制御装置であって、前記通信システムは、Evolved UTRA and UTRAN(別名：Long Term Evolution,あるいは，Super 3G)を適用する通信システムであることを特徴とする。結果として、Evolved UTRA and UTRAN(別名：Long Term Evolution,あるいは，Super 3G)を適用する通信システムにおいて、より適切に呼受付制御を行うことができる。
【００２７】
本発明の請求項９による呼受付制御方法は、複数の無線端末に対してパケットの送信を行う通信システムにおける呼受付制御方法であって、通信中の前記無線端末の平均伝送速度を測定する伝送速度把握ステップと、最低伝送速度の値を設定する最低伝送速度設定ステップと、前記無線端末の平均伝送速度の値が、前記最低伝送速度の値よりも小さいか否かを判定する判定ステップと、前記平均伝送速度の値が前記最低伝送速度の値よりも小さいと判定された無線端末の数と、その割合とのうちの少なくとも１つが所定の閾値よりも大きい場合、新規の無線端末を受け付けない新規無線端末受付ステップと、を含むことを特徴とする。平均伝送速度の値が最低伝送速度の値よりも小さいと判定された無線端末の数とその割合とのいずれか一方に基づいて、セル内の輻輳状態を推定し、呼受付制御を行うことにより、トラヒックの発生の仕方やセルの形態に関係無く適切に呼受付制御を行うことができる。
また、本発明の請求項１０による呼受付制御装置は、請求項１において、前記最低伝送速度設定手段が、サービス種別毎に、契約種別毎に、端末種別毎に、セル種別毎に、又は優先度クラス毎に、前記最低伝送速度を設定することを特徴とする。
【発明の効果】
【００２８】
以上説明したように本発明は、平均伝送速度の値が初期化された移動局の数又はその割合に基づいて、当該セルの輻輳状態を推定し、呼受付制御を行うことにより、当該セルのセル形態、トラヒック状況に関係なく適切な呼受付制御を実現できるという効果がある。
【発明を実施するための最良の形態】
【００２９】
以下、本発明の実施の形態を、図面を参照して説明する。なお、以下の説明において参照する各図では、他の図と同等部分は同一符号によって示されている。
（実施形態１）
以下、本発明の実施形態１について、図面を参照して説明する。
【００３０】
（システム全体の構成例）
図１は、本発明の実施形態１に係る呼受付制御装置を用いた移動通信システムの構成例を示す図である。
同図において、この移動通信システムは、複数の移動局１０〜１２及び２１と、呼受付制御装置である無線基地局１００と、それらを制御する無線制御装置３００とから構成され、前述したＨＳＤＰＡを適用した場合を示している。セル１０００は、無線基地局１００が通信を提供することのできるエリアを示す。ここで、移動局１０〜１２はすでにセル１０００において無線基地局１００とＨＳＤＰＡを用いて通信を行っている状態にあり、移動局２１は、セル１０００において無線基地局１００とＨＳＤＰＡを用いた通信を新規に開始しようとしている状態にある、
以下、ＨＳＤＰＡを用いて通信を行っている移動局１０〜１２に関しては、同一の構成、機能、状態を持つので、以下では特段の断りがない限り移動局ｎ（ｎは１以上の整数）として説明を進める。また、ＨＳＤＰＡを用いた通信を新規に開始しようとしている状態にある移動局の一例として、移動局２１を用いる。
【００３１】
ＨＳＤＰＡにおける通信チャネルに関する説明を行う。ＨＳＤＰＡにおける下りリンクにおいては、各移動局１０〜１２で共有して使用される下り共有物理チャネルＨＳ−ＰＤＳＣＨ（High Speed−Physical Downlink Shared Channel，トランスポートチャネルで言えば、HS-DSCH: High Speed Downlink Shared Channel）と、各移動局で共有して使用される下り共有制御チャネルＨＳ−ＳＣＣＨ（High Speed-Shared Control Channel）と、各移動局に個別に割り当てられる、上記共有物理チャネルに付随する下りリンク付随個別チャネル（Ａ−ＤＰＣＨ：associated−Dedicated Physical Channel）とが用いられる。また、上りリンクにおいては、各移動局に個別に割り当てられる上りリンク付随個別チャネルＡ−ＤＰＣＨに加えて、各移動局に個別に割り当てられるＨＳＤＰＡ用の制御チャネルＨＳ−ＤＰＣＣＨ（High Speed−Dedicated Physical Control Channel）が用いられる。そして、下りリンクでは、上記下りリンク付随個別チャネルにより、上記上りリンク付随個別チャネルのための送信電力制御コマンド等が伝送され、上記共有物理チャネルによりユーザデータが伝送される。一方、上りリンクでは、上記上りリンク付随個別チャネルにより、ユーザデータ以外に、パイロットシンボル、下りリンク付随個別チャネル送信のための電力制御コマンド（ＴＰＣ  コマンド）が伝送され、上記ＨＳＤＰＡ用の個別制御チャネルにより、共有チャネルのスケジューリングや、ＡＭＣＳ（適応変調・符号化）に用いるための下り品質情報、及び、下りリンクの共有チャネルＨＳ−ＤＳＣＨの送達確認情報が伝送される。
【００３２】
（無線基地局の構成例）
図２は、図１に示す無線基地局１００の構成例を示す機能ブロック図である。
同図において、この無線基地局１００は、送受信アンテナ１０１と、アンプ部１０２と、送受信部１０３と、ベースバンド信号処理部１０４と、呼処理部１０５と、伝送路インターフェース１０６から構成される。下りリンクのパケットデータについては、無線基地局１００の上位に位置する無線制御装置３００から伝送路インターフェース１０６を介してベースバンド信号処理部１０４に入力される。ベースバンド信号処理部１０４では、再送制御（ＨＡＲＱ（Hybrid Automatic Repeat reQuest）の処理や、スケジューリング、伝送フォーマット選択、チャネル符号化、拡散処理が行われて送受信部１０３に転送される。送受信部１０３では、ベースバンド信号処理部１０４から出力されたベースバンド信号を無線周波数帯に変換する周波数変換処理が施され、その後、アンプ部１０２で増幅されて送受信アンテナ１０１より送信される。
【００３３】
一方、上りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４で逆拡散やＲＡＫＥ合成、誤り訂正復号がなされた後、伝送路インターフェース１０６を介して無線制御装置３００に転送される。
また、呼処理部１０５では、無線制御装置３００と呼処理制御信号の送受信を行い、無線基地局１００の状態管理やリソース割り当てが行われる。
【００３４】
（ベースバンド信号処理部の構成例）
図３は、上記ベースバンド信号処理部１０４の機能構成を示す機能ブロック図である。
同図において、ベースバンド信号処理部１０４は、レイヤー１処理部１１１と、ＭＡＣ−ｈｓ（Medium Access Control−ＨＳＤＰＡの略称）処理部１１２から構成される。ベースバンド信号処理部１０４におけるレイヤー１処理部１１１とＭＡＣ−ｈｓ処理部１１２はそれぞれ呼処理部１０５と接続される。レイヤー１処理部１１１では、下りデータのチャネル符号化や上りデータのチャネル復号化、上下の個別チャネルの送信電力制御や、ＲＡＫＥ合成、拡散・逆拡散処理が行われる。  また、レイヤー１処理部１１１では、各移動局からの上りＨＳＤＰＡ用個別物理チャネルに載せられて報告される下り無線状態を示す情報を受け取り、ＭＡＣ−ｈｓ処理部１１２に通知する。ＭＡＣ−ｈｓ処理部１１２では、ＨＳＤＰＡにおける下り共有チャネルのHARQや送信待ちパケットに対するスケジューリングが行われる。また、ＭＡＣ−ｈｓ処理部１１２では、後述するように、移動局２１が当該セル１０００において新規にＨＳＤＰＡを用いた通信を開始することができるか否かを判定する呼受付判定も行われる。
【００３５】
（ＭＡＣ−ｈｓ処理部の構成例）
図４は、図３に示すＭＡＣ−ｈｓ処理部１１２の機能構成例を示す図である。同図において、ＭＡＣ−ｈｓ処理部１１２は、例えば、以下の機能ブロックを備えて構成される。
（１）フローコントロール部１２０
（２）ＭＡＣ−ｈｓリソース計算部１３０
（３）スケジューラ部１４０
（４）ＴＦＲ（Transport Format and Resource)選択部１５０
（５）移動局伝送速度初期化部１６０
（６）移動局伝送速度計算部１７０
（７）評価関数計算部１８０
（８）最低伝送速度設定部１９０
（９）ＨＳ呼受付判定部２００
【００３６】
（フローコントロール部）
上記（１）のフローコントロール部１２０は、無線制御装置３００から伝送路インターフェース１０６を介して受信される信号の伝送速度を、実装されているバッファの容量等に基づいて調整する機能を備える。各フローコントロール（＃１〜＃Ｎ）１２１1〜１２１Nは、パケットの流通量を監視し、パケット流通量が増大し、キューバッファのメモリの空きが減少してくると送信パケット送出量を抑制する処理を行う。
【００３７】
（ＭＡＣ−ｈｓリソース計算部）
上記（２）のＭＡＣ−ｈｓリソース計算部１３０は、ＨＳ−ＤＳＣＨに割り当てる無線リソース（電力リソースや符号リソース、ハードウェアリソースなど）を計算するＨＳ−ＤＳＣＨパワーリソース計算部１３１とＨＳ−ＤＳＣＨコードリソース計算部１３２を備える。
【００３８】
（スケジューラ部）
上記（３）のスケジューラ部１４０は、Ｎ個のプライオリティキュー（＃１〜＃Ｎ）１４１1〜１４１Nと、Ｎ個のリオーダリング部（＃１〜＃Ｎ）１４２1〜１４２Nと、Ｎ個のＨＡＲＱ部（＃１〜＃Ｎ）１４３1〜１４３Nとを有する。プライオリティキュー（＃１〜＃Ｎ）１４１1〜１４１Nとは、コネクション毎のキューであり、通常は、１ユーザで１プライオリティキューを持つが、１ユーザが複数のコネクションを持つ場合には、１ユーザで複数のプライオリティキューを持つ。プライオリティキュー（＃１〜＃Ｎ）１４１1〜１４１Nには、下りリンクのデータが入れられスケジューリングで選択されるまで蓄積される。リオーダリング部（＃１〜＃Ｎ）１４２1〜１４２Nでは、ＨＡＲＱにおける再送制御において、下りの受信順序制御を移動局ｎが行えるように、データに対してシーケンス番号を付与し、移動局ｎの受信バッファがあふれないようにウィンドウ制御を行う。ＨＡＲＱ部（＃１〜＃Ｎ）１４３1〜１４３Nでは、Ｍプロセスのストップアンドウェイトプロトコルによって、上りＡｃｋ／Ｎａｃｋ（Acknowledgment/Negative Acknowledgment）フィードバックに基づいたＨＡＲＱの再送制御を行う。ここでは、Ｍはプロセスの数を示す。
【００３９】
（ＴＦＲ選択部）
上記（４）のＴＦＲ選択部１５０には、Ｎ個のＴＦＲSelect機能（＃１〜＃Ｎ）１５１1〜１５１Nが備えられている。これらＮ個のＴＦＲSelect機能（＃１〜＃Ｎ）１５１1〜１５１Nは、スケジューラ部１４０で選択されたユーザのデータについて、上りチャネルで受信する下り品質インジケータであるＣＱＩ（Channel Quality Indicator）や、ＭＡＣ−ｈｓリソース計算部で計算されたＨＳ−ＤＳＣＨに割り当てる無線リソース（電力リソース、符号リソース、ハードウェアリソース）などに基づいて、下り伝送チャネルの伝送フォーマット（コードの数、変調多値数、符号化率）及び送信電力を決定する。このＴＦＲ  Select機能で決定された下り伝送チャネルの伝送フォーマット及び送信電力はレイヤー１処理部へと通知される。
【００４０】
（移動局伝送速度初期化部）
上記（５）の移動局伝送速度初期化部１６０では、後述する移動局伝送速度計算部１７０から、移動局ｎの平均伝送速度（プライオリティキュー１４１1〜１４１N毎に計算される平均伝送速度）avrgＲｎを受け取り、また、後述する最低伝送速度設定部１９０から、移動局ｎの最低伝送速度targetＲｎを受け取る。そして、上記平均伝送速度avrgＲｎを初期化するか否かを判定し、上記平均伝送速度avrgＲｎを初期化するべきだと判定した場合には、上記判定結果を、移動局伝送速度計算部１７０に通知する。さらに、移動局伝送速度初期化部１６０は上記平均伝送速度avrgＲｎを初期化するか否かの判定結果を、後述する呼受付判定部２００にも通知する。
【００４１】
ここで、以下に、上記平均伝送速度avrgＲｎを初期化するか否かの判定方法の例を記載する。
例えば、上記平均伝送速度avrgＲｎから上記最低伝送速度targetＲｎを引いたもの、すなわち、avrgＲｎ−targetＲｎが所定の伝送速度閾値Ｒthresholdよりも小さい場合には、上記平均伝送速度avrgＲｎを初期化するべきだと判定する。
また、例えば、上記平均伝送速度avrgＲｎから上記最低伝送速度targetＲｎを引いたもの、すなわち、avrgＲｎ−targetＲｎが、連続する所定の時間間隔Ｔｉｍｅthresholdにおいて、所定伝送速度閾値Ｒthresholdよりも小さい場合には、上記平均伝送速度avrgＲｎを初期化するべきだと判定する。
【００４２】
具体的な例をあげるならば、avrgＲｎ−targetＲｎが、連続する５０ＴＴＩ（１ＴＴＩ＝２[ｍｓ]であるため、１００[ｍｓ]）において、常に所定の伝送速度閾値Ｒthresholdよりも小さい場合に、上記平均伝送速度avrgＲｎを初期化するべきだと判定してもよい。また、あるいは、avrgＲｎ−targetＲｎが、連続する５０ＴＴＩ（１ＴＴＩ＝２[ｍｓ]であるため、１００[ｍｓ]）において、所定の伝送速度閾値Ｒthresholdよりも小さいＴＴＩが２０回以上存在した場合に、上記平均伝送速度avrgＲｎを初期化するべきだと判定してもよい。
【００４３】
なお、上記所定の伝送速度閾値Ｒthreshold及び所定の時間間隔Ｔｉｍｅthresholdは、上記例においては、全ての移動局に共通の値としているが、移動局毎に設定してもよい。また、上記所定の伝送速度閾値Ｒthreshold及び所定の時間間隔Ｔｉｍｅthresholdを、サービス種別毎、あるいは、契約種別毎、あるいは、端末種別毎、あるいは、ユーザ毎、あるいは、セル毎、あるいは、Priority Class毎に、設定してもよい。
【００４４】
（移動局伝送速度計算部）
上記（６）の移動局伝送速度計算部１７０では、移動局ｎ（平均伝送速度）が計算される。例えば、次式に基づき移動局ｎの伝送速度（平均伝送速度）が計算される。
avrgＲｎ（ｔ）＝δ・avrgＲｎ（ｔ−１）＋（１−δ）・ｒｎ  …（１）
ここで、式（１）において、δは、平均化区間を指定するパラメータ、言い換えれば、平均化のための忘却係数（０≦δ≦１）である。本パラメータδは、前記プライオリティキュー１４１1〜１４１N内のデータに係るサービス種別や契約種別、受信器種別（ＲＡＫＥ受信器、等化器や受信ダイバーシチ、干渉キャンセラや、その他のＵＥ（User Equipment）のＣapabi1ity（受信可能な変調方式や受信可能なコード数、ビット数等によってクラス分けされた指標）等）、セル種別、プライオリティクラス種別に基づいて設定されることができる。
【００４５】
また、式（１）において、ｒｎは瞬時伝送速度を示すものであり、ＭＡＣ−ｈｓ処理部１１２において
＜１＞送信されたデータの送達確認ができたデータのサイズ（データ量）、又は
＜２＞送信されたデータのサイズ（データ量）、又は
＜３＞移動局ｎから報告される下り瞬時の無線状態、あるいは、前記無線状態から推定される送信可能なデータのサイズ（データ量）
のいずれかを移動局ｎにおけるデータ伝送速度（瞬時のデータ伝送速度）とする。
【００４６】
上記式（１）に基づいて求められた移動局ｎの平均伝送速度の更新機会の組み合わせは、例えば、以下の式（２）に示すようなものが考えられる。
タイプ＃        avrgＲｎの更新機会                  ｒｎの計算方法
１        接続時間中の全てのＴＴＩ毎                上記＜１＞
２        接続時間中の全てのＴＴＩ毎                上記＜２＞
３        接続時間中の全てのＴＴＩ毎                上記＜３＞
４        スケジューリングの計算を行ったＴＴＩ毎    上記＜１＞
５        スケジューリングの計算を行ったＴＴＩ毎    上記＜２＞
…（２）
【００４７】
移動局伝送速度計算部１７０は、移動局伝送速度初期化部１６０から、平均伝送速度avrgＲｎを初期化するべきである、と通知された場合、上記平均伝送速度avrgＲｎを初期化する。具体的な初期化方法としては、例えば、平均伝送速度avrgＲｎを瞬時の無線状態Ｒｎと同一とする、といった方法が考えられる。ここで、瞬時の無線状態Ｒｎは、例えば、レイヤー１処理部１１１から出力される移動局ｎの下りリンクの瞬時の無線状態、あるいは、上記無線状態から推定される送信可能なデータのサイズ（データ量）である。
【００４８】
なお、移動局ｎの平均伝送速度avrgＲｎを求めるには、上記方法の他に、例えば、データリンク層でのデータの伝送速度を測定する機能がＭＡＣ−ｈｓ処理部１１２に備えられ、移動局ｎがデータ通信状態に入った後、ＭＡＣ−ｈｓ処理部１１２に流入したデータ量を一定時間毎に測定する。そして、その測定された一定時間毎のデータ量を移動局ｎにおける平均伝送速度avrgＲｎとする場合もある。
【００４９】
（評価関数計算部）
上記（７）の評価関数計算部１８０では、スケジューラ部１４０でのスケジューリングの際に用いられる移動局毎の評価関数が計算される。スケジューラ部１４０では、上記の評価関数計算部１８０で計算された移動局毎の評価関数のうち最大の評価関数を持つ移動局ｎを選択し、その移動局ｎに対し共有チャネル（ＨＳ−ＰＤＳＣＨ）を割り当てる。すなわち、下りリンクの送信割り当てを行う。
【００５０】
（最低伝送速度設定部）
上記（８）の最低伝送速度設定部１９０は、プライオリティキュー１４１1乃至１４１N内の下りバケットについて考慮すべき最低伝送速度targetＲｎを設定し、上記最低伝送速度targetＲｎを、移動局伝送速度初期化部１６０及び評価関数計算部１８０に通知する。
ここで、最低伝送速度設定部１９０は、呼処理部１０５を介して遠隔からの指定に応じて、最低伝送速度targetＲｎを設定するように構成されてもよい。
【００５１】
また、最低伝送速度設定部１９０は、サービス種別毎に、契約種別毎に、端末種別毎に、セル種別毎に、又は優先度クラス毎に、最低伝送速度targetＲｎを設定するように構成されてもよい。例えば、サービス種別は、下りパケットを伝送するサービスの種別を示すものであり、例えば、ＶｏＩＰ（Voice over Internet Protocol）サービスや音声サービスやストリーミングサービスやＦＴＰサービス等を含む。また、契約種別は、下りパケットの宛先移動局のユーザが加入している契約の種別を示すものであり、例えば、Low Class契約やHigh Class契約等を含む。また、端末種別は、下りパケットの宛先移動局の性能をクラス分けするものであり、移動局の識別情報に基づくクラスや、ＲＡＫＥ受信機能や等化器や受信ダイバーシチや干渉キャンセラ等の有無又は種別や、受信可能な変調方式やコード数やビット数等の端末能力等を含む。また、セル種別は、下りパケットの宛先移動局が在圏するセルの形態の種別を示すものであり、例えば、セルの識別情報に基づくクラスや、屋内又は屋外や、郊外又は市街地や、高トラヒック地帯又は低トラヒック地帯等を含む。さらには、優先度クラスは、下りパケットの送信に関わる優先度を示すものであり、例えば、第１の優先度の下りパケットは、第２の優先度の下りパケットよりも優先的に送信される。
【００５２】
また、最低伝送速度設定部１９０は、
avrgＲｎ−targetＲｎ≦minusＲｎ    …（３）
の場合、評価関数Ｃｎの分母に設定すべき値minusＲｎを、プライオリティキュー１４１1乃至１４１N毎に設定するように構成されている。なお、式（３）において、avrgＲｎは平均伝送速度、targetＲｎは最低伝送速度である。
ここで、最低伝送速度設定部１９０は、targetＲｎ＝０と設定してもよい。この場合、評価関数計算部１８０において用いられる評価関数Ｃｎは一般的なＰＦ（Proportional Fairness）スケジューリングを提供することになる。
【００５３】
（ＨＳ呼受付判定部）
上記（９）のＨＳ呼受付判定部２００は、移動局伝送速度初期化部１６０から、移動局ｎに関してその平均伝送速度avrgＲｎが初期化されたか否かの判定結果を受け取る。そして、上記平均伝送速度avrgＲｎが初期化された移動局の数あるいは割合に基づいて、移動局２１がセル１０００においてＨＳＤＰＡを用いた通信を新規に開始することができるか否かの判定を行い、上記判定結果を、伝送路インターフェース１０６を介して、無線制御装置３００に通知する。
【００５４】
ここで、以下に、ＨＳ呼受付判定部２００が、その平均伝送速度avrgＲｎが初期化された移動局の数あるいは割合に基づいて、移動局２１がセル１０００においてＨＳＤＰＡを用いた通信を新規に開始することができるか否かを判定する方法を記載する。
例えば、ＨＳ呼受付判定部２００は、平均伝送速度avrgＲｎが初期化された移動局の数を算出し、上記平均伝送速度avrgＲｎが初期化された移動局の数が１０よりも小さい場合に、移動局２１はセル１０００においてＨＳＤＰＡを用いた通信を新規に開始することができると判定し、平均伝送速度avrgＲｎが初期化された移動局の数が１０以上である場合に、移動局２１はセル１０００においてＨＳＤＰＡを用いた通信を新規に開始することができないと判定してもよい。
【００５５】
さらに例えば、ＨＳ呼受付判定部２００は、平均伝送速度avrgＲｎが初期化された移動局の割合を算出し、上記平均伝送速度avrgＲｎが初期化された移動局の割合が、セル１０００においてＨＳＤＰＡを用いた通信を行っている全移動局の２０％よりも小さい場合に、移動局２１はセル１０００においてＨＳＤＰＡを用いた通信を新規に開始することができると判定し、平均伝送速度avrgＲｎが初期化された移動局の割合が、セル１０００においてＨＳＤＰＡを用いた通信を行っている全移動局の２０％以上である場合に、移動局２１はセル１０００においてＨＳＤＰＡを用いた通信を新規に開始することができないと判定してもよい。ここで、上記セル１０００においてＨＳＤＰＡを用いた通信を行っている全移動局とは、プライオリティキューにデータが滞留している状態にある全ての移動局であってもよいし、あるいは、無線基地局１００との間でＡ−ＤＰＣＨが設定されている状態にある全ての移動局であってもよい。
【００５６】
また、上述した２つの例では、その平均伝送速度avrgＲｎが初期化された移動局の数に基づいて、移動局２１がセル１０００においてＨＳＤＰＡを用いた通信を新規に開始することができるか否かを判定する方法と、その平均伝送速度avrgＲｎが初期化された移動局の割合に基づいて、移動局２１がセル１０００においてＨＳＤＰＡを用いた通信を新規に開始することができるか否かを判定する方法と、を記載したが、その平均伝送速度avrgＲｎが初期化された移動局の数とその割合との両方に基づいて、移動局２１がセル１０００においてＨＳＤＰＡを用いた通信を新規に開始することができるか否かを判定してもよい。
【００５７】
ここで、上記における平均伝送速度avrgＲｎが初期化された移動局の数または割合とは、例えば、所定の測定時間の間に平均伝送速度avrgＲｎが初期化された移動局の数または割合のことである。例えば、ＨＳ呼受付判定部２００が上記判定を行う時点から見た、過去の３分間に少なくとも１回、平均伝送速度avrgＲｎが初期化された移動局の数または割合のことである。あるいは、所定の測定時間の間に平均伝送速度avrgＲｎが初期化された回数が所定の閾値以上の移動局を、平均伝送速度avrgＲｎが初期化された移動局としてもよい。例えば、ＨＳ呼受付判定部２００が上記判定を行う時点から見た、過去の３分間に少なくとも３回以上、平均伝送速度avrgＲｎが初期化された移動局の数または割合のことである。
なお、上述した移動局２１がセル１０００においてＨＳＤＰＡを用いた通信を新規に開始することができるか否かの判定を、Priority Class毎に行ってもよい。この場合、Priority Class毎に平均伝送速度avrgＲｎが初期化された移動局の数あるいは割合を算出して、上述したような判定を行う。
【００５８】
あるいは、複数のPriority Classに関する平均伝送速度avrgＲｎが初期化された移動局の数あるいは割合の合計を用いて、上述したような判定を行ってもよい。この場合、平均伝送速度avrgＲｎが初期化された移動局の数あるいは割合を、Priority Classに応じた重み付けを行って合計してもよい。例えば、優先度の高いPriority Classと、優先度の低いPriority Classとが存在する場合に、優先度の高いPriority Classの移動局に関しては、平均伝送速度avrgＲｎが初期化された移動局の数あるいは割合に１．０を掛け算し、優先度の低いPriority Classの移動局に関しては、平均伝送速度avrgＲｎが初期化された移動局の数あるいは割合に０．５を掛け算して、合計を行ってもよい。また、あるいは、優先度の低いPriority Classの移動局に関しては、平均伝送速度avrgＲｎが初期化された移動局の数あるいは割合に０．０を掛け算して、合計を行ってもよい。
【００５９】
あるいは、上記した移動局２１がセル１０００においてＨＳＤＰＡを用いた通信を新規に開始することができるか否かの判定を、サービス種別毎、あるいは、契約種別毎、あるいは、端末種別毎、あるいは、ユーザ毎、あるいは、セル毎に行ってもよい。この場合、サービス種別毎、あるいは、契約種別毎、あるいは、端末種別毎、あるいは、ユーザ毎、あるいは、セル毎に、平均伝送速度avrgＲｎが初期化された移動局の数あるいはその割合を算出して、上述したような判定を行う。
なお、上述した例では、初期化された移動局の数あるいは割合を用いて判定を行ったが、移動局が複数のプライオリティキューを持つ場合には、初期化された移動局のプライオリティキューの数あるいはその割合を用いて判定を行ってもよい。この場合、スケジューリングに関連する処理も移動局が持つプライオリティキュー毎に行われる。
【００６０】
なお、上述した例では、ＨＳ呼受付判定部２００は、平均伝送速度avrgＲｎが初期化された移動局の数あるいは割合に基づいて、移動局２１がセル１０００においてＨＳＤＰＡを用いた通信を新規に開始することができるか否かの判定を行ったが、より簡単に、各移動局ｎの伝送速度に基づいて、移動局２１がセル１０００においてＨＳＤＰＡを用いた通信を新規に開始することができるか否かの判定を行ってもよい。例えば、移動局伝送速度計算部１７０より各移動局ｎの伝送速度avrgＲｎを受け取り、上記各移動局ｎの伝送速度avrgＲｎに基づいて、移動局２１がセル１０００においてＨＳＤＰＡを用いた通信を新規に開始することができるか否かの判定を行ってもよい。具体的には、伝送速度avrgＲｎが所定の閾値よりも小さい移動局の数、あるいは、割合に基づいて、移動局２１がセル１０００においてＨＳＤＰＡを用いた通信を新規に開始することができるか否かの判定を行ってもよい。
【００６１】
（無線制御装置の構成例）
図５は、無線制御装置３００の機能構成を示す機能ブロック図である。但し、本図においては、無線制御装置３００の機能のうち、新規の呼を設定する部分のみを記載しており、その他の機能に関しては省略している。無線制御装置３００は、新規呼設定部３１０を備えている。
【００６２】
新規呼設定部３１０は、無線基地局１００内のＨＳ呼受付判定部２００より、移動局２１がセル１０００においてＨＳＤＰＡを用いた通信を新規に開始することができるか否かの判定結果を受け取る。そして、新規呼設定部３１０は、移動局２１がセル１０００においてＨＳＤＰＡを用いた通信を新規に開始することができるという判定結果の場合には、移動局２１がセル１０００においてＨＳＤＰＡを用いた通信を開始するための処理を実行する。すなわち、通信を開始するための制御信号を無線基地局１００及び移動局２１に通知し、通信の設定を行う。一方、新規呼設定部３１０は、移動局２１がセル１０００においてＨＳＤＰＡを用いた通信を新規に開始することができないという判定結果の場合には、移動局２１がセル１０００においてＨＳＤＰＡを用いた通信を開始するための処理を実行しない。この場合、例えば、新規呼設定部３１０は、ＨＳＤＰＡを用いた通信を開始するための処理を実行する代わりに、個別チャネルを用いた通信を開始するための処理を実行してもよい。この場合、移動局２１は、セル１０００において個別チャネルを用いた通信を行うことになる。あるいは、新規呼設定部３１０は、ＨＳＤＰＡを用いた通信を開始するための処理を実行する代わりに、移動局２１に、ＨＳＤＰＡの通信を行うことができないという情報を通知してもよい。この場合、移動局２１が開始しようとした通信は呼損となる。
【００６３】
なお、ここで、無線基地局１００内のＨＳ呼受付判定部２００においてＨＳＤＰＡの通信を開始することが可能か否かの判定を行い、無線制御装置３００内の新規呼設定部３１０において実際にＨＳＤＰＡの通信を設定するかしないかの呼受付制御を行ったが、本発明はこの一実施形態に限定されるものではない。すなわち、無線基地局１００においてＨＳＤＰＡの通信を開始することが可能か否かの判定とＨＳＤＰＡの通信の設定を行ってもよく、あるいは、無線制御装置３００においてＨＳＤＰＡの通信を開始することが可能か否かの判定と、ＨＳＤＰＡの通信の設定を行ってもよい。
【００６４】
次に、本発明に係る呼受付制御の動作について、図６に示すフローチャートを用いて説明する。なお、本発明に係る呼受付制御は、スケジューリング動作と関連しているため、図７を用いてスケジューリングの動作についても説明を行う。
【００６５】
（呼受付制御）
図６において、まずステップＳ１において、ＨＳ呼受付判定部２００は、移動局２１がセル１０００において新規にＨＳＤＰＡを用いた通信を開始しようとしているという情報を取得する。ステップＳ２において、ＨＳ呼受付判定部２００は、移動局伝送速度初期化部１６０より、平均伝送速度avrgＲｎが初期化された移動局の数を取得する。
【００６６】
ステップＳ３において、平均伝送速度avrgＲｎが初期化された移動局の数が所定の閾値、例えば「１０」よりも小さいか否かを判定する。そして、平均伝送速度avrgＲｎが初期化された移動局の数が所定の閾値よりも小さいと判定した場合にはステップＳ４に進み、平均伝送速度avrgＲｎが初期化された移動局の数が所定の閾値よりも小さくないと場合にはステップＳ６に進む。
【００６７】
ステップＳ４において、ＨＳ呼受付判定部２００は、移動局２１がセル１０００において新規にＨＳＤＰＡを用いた通信を開始することができると判定する。
ステップＳ５において、新規呼設定部３１０は、移動局２１がセル１０００において新規にＨＳＤＰＡを用いた通信を行うための通信の設定を行う。
ステップＳ６において、ＨＳ呼受付判定部２００は、移動局２１がセル１０００において新規にＨＳＤＰＡを用いた通信を開始することができないと判定する。
【００６８】
ステップＳ７において、新規呼設定部３１０は、移動局２１がセル１０００において新規に個別チャネルを用いた通信を行うための通信の設定を行う。ここで、新規呼設定部３１０は、移動局２１がセル１０００において新規に個別チャネルを用いた通信を行うための通信の設定を行う代わりに、移動局２１はセル１０００において新規に通信を行うことができないと判断し、どのような通信の設定も行わないという処理を行ってもよい。この場合、移動局２１が行おうとした通信は呼損となる。
【００６９】
ところで、上記のステップＳ２、Ｓ３において、指標として平均伝送速度avrgＲｎが初期化された移動局の数を用いたが、代わりに、セル１０００において通信を行っている全ての移動局の数に対する、平均伝送速度avrgＲｎが初期化された移動局の数の割合を用いてもよい。
さらに、上記においては、ステップＳ２〜Ｓ７の処理が、移動局２１がセル１０００において新規にＨＳＤＰＡを用いた通信を開始したタイミングで行われる場合を記載したが、予め決められた時間間隔でステップＳ２〜Ｓ７の処理を行ってもよい。例えば、３秒を判定周期とし、３秒毎にステップＳ２〜Ｓ７の処理を行ってもよい。この場合、セル１０００において新規に通信を行うことができると判定した場合には、新規呼設定部３１０は、その次の３秒間において、セル１０００においてＨＳＤＰＡを用いた通信を開始しようとした全ての移動局に対して、ＨＳＤＰＡを用いた通信を行うための通信の設定を行う。また、セル１０００において新規に通信を行うことができないと判定した場合には、新規呼設定部３１０は、その次の３秒間において、セル１０００においてＨＳＤＰＡを用いた通信を開始しようとした全ての移動局に対して、個別チャネルを用いた通信を行うための通信の設定を行う。
【００７０】
（スケジューリング動作）
次に、図７を用いて、本発明に係る呼受付制御と関連するスケジューリング動作について説明を行う。
図７において、ＭＡＣ−ｈｓ処理部１１２の評価関数計算部１８０は、まず、ステップＳ１０１において、移動局ｎの評価関数を計算するための初期値設定を行う。
【００７１】
（初期値設定）
ｎ＝１
Ｃmax＝０
ｎmax＝０
ここで、ｎは移動局の添え字を表し、Ｃmaxは、評価関数の最大値を表し、ｎmaxは、評価関数が最大となる移動局の添え字を表す。
【００７２】
ステップＳ１０２〜Ｓ１０４では、評価関数Ｃｎの計算に用いる下記の（１）〜（３）の情報の取得が行われる。
（１）ステップＳ１０２：レイヤー１処理部１１１から出力される移動局ｎの下りリンクの瞬時の無線状態、あるいは、上記無線状態から推定される送信可能なデータのサイズ（データ量）の取得（但し、「無線状態から推定される送信可能なデータのサイズ」とは、下りの品質を示すＣＱＩ、或いは、下り伝送チャネルの瞬時ＳＩＲと、ＭＡＣ−ｈｓリソース計算部で計算されたＨＳ−ＤＳＣＨに割り当てる無線リソースとから、所定の誤り率で送信可能と推定されるデータのサイズのことを表す）
【００７３】
（２）ステップＳ１０３：移動局伝送速度計算部１７０から出力される移動局ｎの平均伝送速度avrgＲｎの取得
（３）ステップＳ１０４：最低伝送速度設定部１９０から出力される移動局ｎの最低伝送速度targetＲｎの取得
ステップＳ１０５では、上記（１）〜（３）の情報が全て取得されたかどうかが判定され、上記（１）〜（３）の情報が全て取得されたと判定されたとき（ステップＳ１０５でＹＥＳ）は、次ステップに移行し、そうでなければ（ステップＳ１０５でＮＯ）、上記（１）〜（３）の情報のうち未取得情報の取得が行われる。
【００７４】
ステップＳ１０６では、平均伝送速度avrgＲｎを初期化するか否かの判定を行う。例えば、連続する所定の時間間隔Ｔｉｍｅthresholdにおいて、avrgＲｎ−targetＲｎが、所定の伝送速度閾値Ｒthresholdよりも小さい場合には（ステップＳ１０６でＹＥＳ）ステップＳ１０７に進み、そうでない場合には（ステップＳ１０６でＮＯ）、ステップＳ１０８に進む。
【００７５】
ステップＳ１０７では、ステップＳ１０６において、平均伝送速度avrgＲｎを初期化すると判定されたため、平均伝送速度avrgＲｎを初期化する。
ステップＳ１０８では、呼処理部１０５を介して遠隔から指定される指数パラメータ（α、β）を受け取り、ステップＳ１０９で次の式（４）に従って、評価関数（Ｃｎ）が計算される。
（avrgＲｎ−targetＲｎ）＞minusＲｎ  の時
Ｃｎ＝Ｒｎα／（avrgＲｎ−targetＲｎ）β
（avrgＲｎ−targetＲｎ）≦minusＲｎ  の時
Ｃｎ＝Ｒｎα／minusＲｎβ
…（４）
【００７６】
以下に、ステップＳ１０６、Ｓ１０７において、平均伝送速度avrgＲｎを初期化することの作用効果を説明する。avrgＲｎ−targetＲｎが、「０」に近づいた場合、当該移動局ｎに関する評価関数Ｃｎの値は増大する。この動作は、その平均伝送速度が考慮すべき最低伝送速度よりも小さくなった移動局ｎに対してパケット（ＨＳ−ＤＳＣＨ）を優先的に割り当てることとなり、本来であれば正しい動作であるが、逆に、そのような平均伝送速度が考慮すべき最低伝送速度よりも小さい移動局が多数存在した場合には、上記移動局に必要以上にパケットを割り当てることとなり、他の移動局にパケットが割り当てられず、システム全体のスループットは劣化する。そこで、ある所定の時間間隔Ｔｉｍｅthresholdにおいて、上記移動局ｎのavrgＲｎ−targetＲｎが、所定の伝送速度閾値Ｒthresholdよりも小さい場合に、上記平均伝送速度avrgＲｎを初期化することにより、上記システム全体のスループットの劣化を回避することが可能となる。
【００７７】
また、上記のような平均伝送速度avrgＲｎが初期化される移動局の数または割合は、当該セルの輻輳状態を示す指標として用いることができる。すなわち、考慮すべき最低伝送速度を満たすことができない移動局が多数存在する場合には、当該セルは輻輳状態にあると判断することができる。一方で、考慮すべき最低伝送速度を満たすことができない移動局が多数存在しない場合には、当該セルは輻輳状態にないと判断することができる。
【００７８】
ここで、上記所定の時間間隔Ｔｉｍｅthresholdや、所定の伝送速度閾値Ｒthresholdは、遠隔、例えば、無線基地局１００の上位ノード（例：無線制御装置やコアネットワーク上のサーバ等）から指定する。例えば、呼処理制御信号に含められて上位ノードから無線基地局１００へと通知される。無線基地局１００は、上記呼処理制御信号に含まれる所定の時間間隔Ｔｉｍｅthresholdや、所定の伝送速度閾値Ｒthresholdを、呼処理部１０５で受け取り、ベースバンド信号処理部１０４内のＭＡＣ−ｈｓ処理部１１２の評価関数計算部１８０に転送する。また、あるいは、上記所定の時間間隔Ｔｉｍｅthresholdや、所定の伝送速度閾値Ｒthresholdは、無線基地局１００の局データとして保持され、ベースバンド信号処理部１０４内のＭＡＣ−ｈｓ処理部１１２の評価関数計算部１８０は、上記局データ内の上記所定の時間間隔Ｔｉｍｅthresholdや、所定の伝送速度閾値Ｒthresholdを参照してもよい。
【００７９】
なお、上記例において、α及びβの値を適切に設定することにより、いわゆる典型的なProportional Fairnessスケジューラ（α＝１、β＝１）と、ＭＡＸ／Ｃｎスケジューラ（α＝１、β＝０）の中間のスケジューラを提供することが可能となる。
また、本発明は、上記発明に限定されることはなく、評価関数Ｃｎの式の一部が“Ｒｎα／（avrgＲｎ−targetＲｎ）β”であるスケジューラの場合に適用することが可能である。例えば、評価関数の式が、
Ｃｎ＝Ｒｎα／（avrgＲｎ−targetＲｎ）β・Ｗｎγ  …（５）
というスケジューラの場合にも、本発明により、平均伝送速度avrgＲｎが、連続する所定の時間間隔Ｔｉｍｅthresholdにおいて、所定の伝送速度閾値Ｒthresholdよりも小さい場合には、上記平均伝送速度avrgＲｎを初期化する、という処理を加えてもよい。但し、式（５）において、α、β、γはパラメータ係数であり、０から１までのいずれかの値をとる。また、式（５）において、Ｗｎは移動局ｎに関する、無線基地局におけるパケットの滞留時間を表す。
【００８０】
上記のようにしてステップＳ１０９で評価関数Ｃｎが計算されると、その計算された評価関数Ｃｎが最大値であるかどうかの判定（ステップＳ１１０）が行われる。ここでは、Ｃmax＝０に設定（初期値）されているので、ステップＳ１０９で測定された評価関数ＣｎがＣmaxに設定され、そのＣmaxが与える移動局ｎが移動局ｎmaxとして設定される（ステップＳ１１１）。
【００８１】
ステップＳ１１２では、次の移動局の評価関数を計算するために移動局ｎを＋１インクリメントする。そして、移動局ｎが無線基地局と通信中の移動局数（ｍ）を超えると判断されなければ（ステップＳ１１３でＮＯ）、上記のステップＳ１０２以降のループ処理が移動局数（ｍ）を超えると判断されるまで繰り返し行われる。すなわち、無線基地局と通信中の移動局全ての評価関数Ｃｎが計算される。一方、ステップＳ１１３で移動局ｎが無線基地局と通信中の移動局数（ｍ）を超えると判断されたときは（ステップＳ１１３でＹＥＳ）、ステップＳ１１１で設定された移動局ｎmaxに対して共有チャネルの割り当てを行うようにスケジューラ部１４０に指示する（ステップＳ１１４）。
【００８２】
以上説明したような本実施形態によれば、平均伝送速度avrgＲｎの初期化を行うスケジューリングにおいて、上記平均伝送速度avrgＲｎの初期化が行われた移動局の数に基づいて輻輳状態を推定することにより、セルの形態、トラヒック状況に関係なく、呼受付制御を行うことが可能となる。
なお、ＭＡＣ−ｈｓ処理部１１２の評価関数計算部１８０は、例えば、ＣＰＵやデジタルシグナルプロセッサ（ＤＳＰ）、或いはＦＰＧＡ（Field Programmable Gate Array）等のプログラムの書き換えが可能なプログラマブルデバイスで構成され、所定のメモリ領域に上述した評価関数のプログラムが記憶され、パラメータ（α、β、δ、Ｔｉｍｅthreshold、Ｒthreshold）をダウンロードして書き換える構成がとられる。この時、上記パラメータ（α、β、δ、Ｔｉｍｅthreshold、Ｒthreshold）を無線基地局の上位ノードからダウンロードしてもよいし、評価関数計算部１８０に端末Ｉ／Ｆ（外部インターフェース機能）を設け、端末から直接上記パラメータ（α、β、δ、Ｔｉｍｅthreshold、Ｒthreshold）を読み込ませるような形態であってもよい。
【００８３】
また、上述したＭＡＣ−ｈｓ処理部１１２の各機能ブロックは、ハードウェアで分割される場合もあるし、プロセッサ上のプログラムでソフトウェアとして分割されている場合もありうる。
また、上述した本発明に係る呼受付制御の動作では、平均伝送速度avrgＲｎが初期化された移動局の数あるいは割合に基づいて、移動局２１がセル１０００においてＨＳＤＰＡを用いた通信を新規に開始することができるか否かの判定を行ったが、より簡単に、各移動局ｎの伝送速度に基づいて、移動局２１がセル１０００においてＨＳＤＰＡを用いた通信を新規に開始することができるか否かの判定を行ってもよい。各移動局ｎの伝送速度に基づいて、移動局２１がセル１０００においてＨＳＤＰＡを用いた通信を新規に開始することができるか否かの判定を行った場合の呼受付制御の動作を、図８に示すフローチャートを用いて説明する。
【００８４】
図８において、まずステップＳ２１において、ＨＳ呼受付判定部２００は、移動局２１がセル１０００において新規にＨＳＤＰＡを用いた通信を開始しようとしているという情報を取得する。
ステップＳ２２において、ＨＳ呼受付判定部２００は、移動局伝送速度計算部１７０より、各移動局ｎの平均伝送速度avrgＲｎを取得し、上記平均伝送速度avrgＲｎが所定の閾値ＴＨ１よりも小さい移動局の数を取得する。ここで、例えば、上記所定の閾値ＴＨ１を６４ｋｂｐｓと設定することができる。また、例えば、上記平均伝送速度avrgＲｎが、連続する所定の時間間隔Ｔｉｍｅthresholdにおいて、所定の閾値ＴＨ１よりも小さい移動局の数を取得してもよい。
【００８５】
ステップＳ２３において、上記平均伝送速度avrgＲｎが所定の閾値ＴＨ１よりも小さい移動局の数が、所定の閾値ＴＨ２、例えば「１０」よりも小さいか否かを判定する。そして、平均伝送速度avrgＲｎが所定の閾値ＴＨ１よりも小さい移動局の数が所定の閾値ＴＨ２よりも小さいと判定した場合にはステップＳ２４に進み、平均伝送速度avrgＲｎが所定の閾値ＴＨ１よりも小さい移動局の数が所定の閾値ＴＨ２よりも小さくないと場合にはステップＳ２６に進む。
【００８６】
ステップＳ２４において、ＨＳ呼受付判定部２００は、移動局２１がセル１０００において新規にＨＳＤＰＡを用いた通信を開始することができると判定する。
ステップＳ２５において、新規呼設定部３１０は、移動局２１がセル１０００において新規にＨＳＤＰＡを用いた通信を行うための通信の設定を行う。
ステップＳ２６において、ＨＳ呼受付判定部２００は、移動局２１がセル１０００において新規にＨＳＤＰＡを用いた通信を開始することができないと判定する。
【００８７】
ステップＳ２７において、新規呼設定部３１０は、移動局２１がセル１０００において新規に個別チャネルを用いた通信を行うための通信の設定を行う。ここで、新規呼設定部３１０は、移動局２１がセル１０００において新規に個別チャネルを用いた通信を行うための通信の設定を行う代わりに、移動局２１はセル１０００において新規に通信を行うことができないと判断し、どのような通信の設定も行わないという処理を行ってもよい。この場合、移動局２１が行おうとした通信は呼損となる。
【００８８】
ところで、上記のステップＳ２２、Ｓ２３において、指標として平均伝送速度avrgＲｎが所定の閾値ＴＨ１よりも小さい移動局の数を用いたが、代わりに、セル１０００において通信を行っている全ての移動局の数に対する、平均伝送速度avrgＲｎが所定の閾値ＴＨ１よりも小さい移動局の数の割合を用いてもよい。
さらに、上記においては、ステップＳ２２〜Ｓ２７の処理が、移動局２１がセル１０００において新規にＨＳＤＰＡを用いた通信を開始したタイミングで行われる場合を記載したが、予め決められた時間間隔でステップＳ２２〜Ｓ２７の処理を行ってもよい。例えば、３秒を判定周期とし、３秒毎にステップＳ２２〜Ｓ２７の処理を行ってもよい。この場合、セル１０００において新規に通信を行うことができると判定した場合には、新規呼設定部３１０は、その次の３秒間において、セル１０００においてＨＳＤＰＡを用いた通信を開始しようとした全ての移動局に対して、ＨＳＤＰＡを用いた通信を行うための通信の設定を行う。また、セル１０００において新規に通信を行うことができないと判定した場合には、新規呼設定部３１０は、その次の３秒間において、セル１０００においてＨＳＤＰＡを用いた通信を開始しようとした全ての移動局に対して、個別チャネルを用いた通信を行うための通信の設定を行う。
【００８９】
また、上記実施例は、３ＧＰＰにおける高速パケット伝送方式ＨＳＤＰＡに関して記述したが、本発明は上記ＨＳＤＰＡに限定されるものではなく、その他の、移動通信システムにおける下りパケットの送信制御（スケジューリング）を行う高速パケット伝送方式に適用することが可能である。例えば、３ＧＰＰのＬＴＥ(Long Term Evolution)により提供される高速パケット伝送方式や、３ＧＰＰ２におけるｃｄｍａ２０００  １ｘＥＶ−ＤＯやＴＤＤ方式における高速パケット伝送方式など、がその他の高速パケット伝送方式としてあげられる。また、上記実施例では、本発明を下りリンクにおける高速パケット伝送方式に適用する場合を記載したが、本発明を上りリンクにおける高速パケット伝送方式に適用してもよい。ここで、上りリンクにおける高速パケット伝送方式とは、例えば、３ＧＰＰや３ＧＰＰ２、ＬＴＥにおける上りリンクの高速パケット伝送方式のことを指す。
【００９０】
上記実施例において、移動局伝送速度計算部１７０の機能が伝送速度把握手段、最低伝送速度設定部１９０の機能が最低伝送速度設定手段、ＨＳ呼受付判定部２００の機能が判定手段、新規呼設定部３１０の機能が新規無線端末受付手段に対応する。
また、上記実施例において、無線基地局１００及び無線制御装置３００は、呼受付制御装置に対応し、移動局（＃１〜＃３）１０〜１２は無線端末に対応する。
【００９１】
（実施形態２）
以下、本発明の実施形態２について、図面を参照して説明する。
上述した実施形態１において、ＨＳ呼受付判定部２００は、平均伝送速度avrgＲｎが初期化された移動局数あるいは割合に基づいて、移動局２１がセル１０００においてＨＳＤＰＡを用いた通信を新規に開始することができるか否かの判定を行った。しかしながら、上記のような呼受付判定は、以下のような問題を抱えている。例えば、当該セルに２台の移動局が通信を行っており、その内の１台が極めて無線品質の悪い環境に存在し、その平均伝送速度avrgＲｎが初期化されたとする。この場合、平均伝送速度avrgＲｎが初期化された割合は５０％となり、閾値を３０％に設定したとすると、セル内に２台の移動局しか存在しないにも関わらず、当該セルは輻輳状態にあると判断されてしまう。
【００９２】
以下に説明する実施の形態２においては、上記問題を克服するために、平均伝送速度avrgＲｎが初期化された移動局数あるいは割合だけでなく、当該セルにおいて通信を行っている全移動局の数をも用いて呼受付判定を行う。
本実施の形態２に係る呼受付制御装置を用いた移動通信システムの構成は、上記実施の形態１とほぼ同様であり、異なる点は、ＨＳ呼受付判定部２００の機能のみである。よって、以下では、ＨＳ呼受付判定部２００の機能に関してのみ記載を行い、それ以外に関しては省略する。
【００９３】
ＨＳ呼受付判定部２００は、移動局伝送速度初期化部１６０から、移動局ｎに関してその平均伝送速度avrgＲｎが初期化されたか否かの判定結果を受け取る。そして、上記平均伝送速度avrgＲｎが初期化された移動局の数あるいは割合と、当該セル１０００において通信を行っている移動局の数とに基づいて、移動局２１がセル１０００においてＨＳＤＰＡを用いた通信を新規に開始することができるか否かの判定を行い、上記判定結果を、伝送路インターフェース１０６を介して、無線制御装置３００に通知する。
ここで、以下に、ＨＳ呼受付判定部２００が、その平均伝送速度avrgＲｎが初期化された移動局の数とその割合とのいずれか一方と、当該セル１０００において通信を行っている移動局の数とに基づいて、移動局２１がセル１０００においてＨＳＤＰＡを用いた通信を新規に開始することができるか否かを判定する方法を記載する。
【００９４】
例えば、ＨＳ呼受付判定部２００は、平均伝送速度avrgＲｎが初期化された移動局の数と、当該セル１０００において通信を行っている移動局の数と、に基づいて、移動局２１がセル１０００においてＨＳＤＰＡを用いた通信を新規に開始することができるか否かを判定してもよい。例えば、平均伝送速度avrgＲｎが初期化された移動局の数が「１０」よりも小さい場合、あるいは、当該セル１０００において通信を行っている移動局の数が「２０」よりも小さい場合に、移動局２１はセル１０００においてＨＳＤＰＡを用いた通信を新規に開始することができると判定し、平均伝送速度avrgＲｎが初期化された移動局の数が「１０」以上であり、かつ、当該セル１０００において通信を行っている移動局の数が「２０」よりも以上である場合に、移動局２１はセル１０００においてＨＳＤＰＡを用いた通信を新規に開始することができないと判定してもよい。
【００９５】
また、例えば、ＨＳ呼受付判定部２００は、平均伝送速度avrgＲｎが初期化された移動局の割合と、当該セル１０００において通信を行っている移動局の数と、に基づいて、移動局２１がセル１０００においてＨＳＤＰＡを用いた通信を新規に開始することができるか否かを判定してもよい。例えば、平均伝送速度avrgＲｎが初期化された移動局の割合が２０％よりも小さい場合、あるいは、当該セル１０００において通信を行っている移動局の数が「２０」よりも小さい場合に、移動局２１はセル１０００においてＨＳＤＰＡを用いた通信を新規に開始することができると判定し、平均伝送速度avrgＲｎが初期化された移動局の割合が２０％以上であり、かつ、当該セル１０００において通信を行っている移動局の数が「２０」よりも以上である場合に、移動局２１はセル１０００においてＨＳＤＰＡを用いた通信を新規に開始することができないと判定してもよい。
【００９６】
ここで、上記当該セル１０００において通信を行っている移動局の数とは、プライオリティキューにデータが滞留している状態の移動局の数であってもよいし、あるいは、無線基地局１００との間でＡ−ＤＰＣＨが設定されている状態の移動局の数であってもよい。
また、上記の例において、当該セル１０００において通信を行っている移動局の数が、固定の閾値である「２０」よりも以上であるかそうでないかで、移動局２１がセル１０００においてＨＳＤＰＡを用いた通信を新規に開始することができるか否かを判定したが、固定の閾値を用いる代わりに、適応的に変動する閾値を用いてもよい。例えば、セル内で通信を行うことのできる移動局の数は、ＨＳ−ＰＤＳＣＨに割り当てられるパワーリソース量に依存するため、ＨＳ−ＰＤＳＣＨに割り当てられるパワーリソース量に応じて上記閾値を適応的に変動させてもよい。すなわち、ＨＳ−ＰＤＳＣＨに割り当てられるパワーリソース量が全体のパワーリソース量の５０％である場合には、上記閾値を「２０」とし、ＨＳ−ＰＤＳＣＨに割り当てられるパワーリソース量が全体のパワーリソース量の２５％である場合には、上記閾値を「１０」としてもよい。あるいは、パワーリソースではなく、コードリソースを用いて同様の制御を行ってもよい。
【００９７】
次に、本実施の形態２に係る呼受付制御の動作について、図９に示すフローチャートを用いて説明する。なお、本発明に係る呼受付制御と関連するスケジューリング動作は、実施の形態１におけるスケジューリング動作と同様であるため省略する。
図９において、まずステップＳ１１において、ＨＳ呼受付判定部２００は、移動局２１がセル１０００において新規にＨＳＤＰＡを用いた通信を開始しようとしているという情報を取得する。
【００９８】
ステップＳ１２において、ＨＳ呼受付判定部２００は、移動局伝送速度初期化部１６０より、平均伝送速度avrgＲｎが初期化された移動局の数を取得する。
ステップＳ１３において、平均伝送速度avrgＲｎが初期化された移動局の数が所定の閾値ＴＨ１、例えば「１０」よりも小さいか否かを判定し、平均伝送速度avrgＲｎが初期化された移動局の数が所定の閾値ＴＨ１よりも小さいと判定した場合にはステップＳ１４に進み、平均伝送速度avrgＲｎが初期化された移動局の数が所定の閾値ＴＨ１よりも小さくないと判定した場合にはステップＳ１６に進む。
【００９９】
ステップＳ１４において、ＨＳ呼受付判定部２００は、移動局２１がセル１０００において新規にＨＳＤＰＡを用いた通信を開始することができると判定する。
ステップＳ１５において、新規呼設定部３１０は、移動局２１がセル１０００において新規にＨＳＤＰＡを用いた通信を行うための通信の設定を行う。
ステップＳ１６において、セル１０００において通信を行っている移動局の数が所定の閾値ＴＨ２、例えば「２０」よりも小さいか否かを判定し、セル１０００において通信を行っている移動局の数が所定の閾値ＴＨ２よりも小さいと判定した場合はステップＳ１４に進み、セル１０００において通信を行っている移動局の数が所定の閾値ＴＨ２よりも小さくないと判定した場合にはステップＳ１７に進む。
【０１００】
ステップＳ１７において、ＨＳ呼受付判定部２００は、移動局２１がセル１０００において新規にＨＳＤＰＡを用いた通信を開始することができないと判定する。
ステップＳ１８において、新規呼設定部３１０は、移動局２１がセル１０００において新規に個別チャネルを用いた通信を行うための通信の設定を行う。ここで、新規呼設定部３１０は、移動局２１はセル１０００において新規に通信を行うことができないと判断し、どのような通信の設定も行わないという処理を行ってもよい。この場合、移動局２１が行おうとした通信は呼損となる。
ここで、上記のステップＳ１２、Ｓ１３において、指標として平均伝送速度avrgＲｎが初期化された移動局の数を用いたが、代わりに、セル１０００において通信を行っている全ての移動局の数に対する、平均伝送速度avrgＲｎが初期化された移動局の数の割合を用いてもよい。
【０１０１】
さらに、上記においては、ステップＳ１２〜Ｓ１８の処理が、移動局２１がセル１０００において新規にＨＳＤＰＡを用いた通信を開始したタイミングで行われる場合を記載したが、予め決められた時間間隔でステップＳ１２〜Ｓ１８の処理を行ってもよい。例えば、３秒を判定周期とし、３秒毎にＳ１２〜Ｓ１８の処理を行ってもよい。この場合、セル１０００において新規に通信を行うことができると判定した場合には、新規呼設定部３１０は、その次の３秒間において、セル１０００においてＨＳＤＰＡを用いた通信を開始しようとした全ての移動局に対して、ＨＳＤＰＡを用いた通信を行うための通信の設定を行う。また、セル１０００において新規に通信を行うことができないと判定した場合には、新規呼設定部３１０は、その次の３秒間において、セル１０００においてＨＳＤＰＡを用いた通信を開始しようとした移動局全てに対して、個別チャネルを用いた通信を行うための通信の設定を行う。
【０１０２】
なお、上述した例では、ＨＳ呼受付判定部２００は、平均伝送速度avrgＲｎが初期化された移動局の数あるいは割合と、当該セルにおいて通信を行っている全移動局の数あるいは割合とに基づいて、移動局２１がセル１０００においてＨＳＤＰＡを用いた通信を新規に開始することができるか否かの判定を行ったが、より簡単に、各移動局ｎの伝送速度と、当該セルにおいて通信を行っている全移動局の数あるいは割合とに基づいて、移動局２１がセル１０００においてＨＳＤＰＡを用いた通信を新規に開始することができるか否かの判定を行ってもよい。例えば、移動局伝送速度計算部１７０より各移動局ｎの伝送速度avrgＲｎを受け取り、上記各移動局ｎの伝送速度avrgＲｎと、当該セルにおいて通信を行っている全移動局の数あるいは割合とに基づいて、移動局２１がセル１０００においてＨＳＤＰＡを用いた通信を新規に開始することができるか否かの判定を行ってもよい。具体的には、伝送速度avrgＲｎが所定の閾値よりも小さい移動局の数あるいは割合と、当該セルにおいて通信を行っている全移動局の数あるいは割合とに基づいて、移動局２１がセル１０００においてＨＳＤＰＡを用いた通信を新規に開始することができるか否かの判定を行ってもよい。
【０１０３】
（実施の形態３）
以下、本発明の実施形態３について、図面を参照して説明する。
（システム全体の構成例）
図１０は、本発明の実施形態３に係る呼受付制御装置を用いた移動通信システムの構成例を示す図である。
同図において、この移動通信システムは、複数の移動局３０〜３２及び４１と、呼受付制御装置である無線基地局４００とから構成され、前述したEvolved UTRA and UTRAN(別名：Long Term Evolution,あるいは，Super 3G)を適用した場合を示している。尚、Evolved UTRA and UTRAN(別名：Long Term Evolution,あるいは，Super 3G)においては、無線基地局４００が、HSDPAにおける無線基地局１００と無線制御装置３００の両方の機能を合わせもつ。セル２０００は、無線基地局４００が通信を提供することのできるエリアを示す。ここで、移動局３０〜３２はすでにセル２０００において無線基地局４００とEvolved UTRA and UTRAN(別名：Long Term Evolution,あるいは，Super 3G)を用いて通信を行っている状態にあり、移動局４１は、セル２０００において無線基地局４００とEvolved UTRA and UTRAN(別名：Long Term Evolution,あるいは，Super 3G)を用いた通信を新規に開始しようとしている状態にある。
【０１０４】
以下、Evolved UTRA and UTRAN(別名：Long Term Evolution,あるいは，Super 3G)を用いて通信を行っている移動局３０〜３２に関しては、同一の構成、機能、状態を持つので、以下では特段の断りがない限り移動局ｎ（ｎは１以上の整数）として説明を進める。また、Evolved UTRA and UTRAN(別名：Long Term Evolution,あるいは，Super 3G)を用いた通信を新規に開始しようとしている状態にある移動局の一例として、移動局４１を用いる。
【０１０５】
Evolved UTRA and UTRAN(別名：Long Term Evolution,あるいは，Super 3G)における通信チャネルに関する説明を行う。Evolved UTRA and UTRAN(別名：Long Term Evolution,あるいは，Super 3G)における下りリンクにおいては、各移動局３０〜３２で共有して使用される下り共有物理チャネルＰＤＳＣＨ（Physical Downlink Shared Channel）と、ＬＴＥ用の下り制御チャネルとが用いられる。図１０における下りチャネルは、上記下り共有物理チャネルＰＤＳＣＨとＬＴＥ用の下り制御チャネルとを指す。また、上りリンクにおいても、各移動局３０〜３２で共有して使用される上り共有物理チャネルＰＵＳＣＨ（Physical Uplink Shared Channel）と、ＬＴＥ用の上り制御チャネルとが用いられる。図１０における上りチャネルは、上記上り共有物理チャネルＰＵＳＣＨとＬＴＥ用の上り制御チャネルとを指す。尚、上記上り制御チャネルには、上記上り共有物理チャネルＰＵＳＣＨと時間多重されるチャネルと、周波数多重されるチャネルの２種類がある。そして、下りリンクでは、上記ＬＴＥ用の下り制御チャネルにより、上記下り共有物理チャネルにマッピングされるユーザの情報やトランスポートフォーマットの情報等が通知され、上記下り共有物理チャネルによりユーザデータが伝送される。一方、上りリンクでは、上記ＬＴＥ用の上り制御チャネルにより、下りリンクにおける共有物理チャネルのスケジューリングや、ＡＭＣＳ（適応変調・符号化）に用いるための下り品質情報、及び、下りリンクの共有物理チャネルＰＤＳＣＨの送達確認情報が伝送される。また、上記ＬＴＥ用の上り制御チャネルにより、上記上り共有物理チャネルにマッピングされるユーザの情報やトランスポートフォーマットの情報等も通知され、上記上り共有物理チャネルによりユーザデータが伝送される。
【０１０６】
（無線基地局の構成例）
図１１は、図１０に示す無線基地局４００の構成例を示す機能ブロック図である。
同図において、この無線基地局４００は、送受信アンテナ４０１と、アンプ部４０２と、送受信部４０３と、ベースバンド信号処理部４０４と、呼処理部４０５と、伝送路インターフェース４０６から構成される。下りリンクのパケットデータについては、無線基地局４００の上位に位置するアクセスゲートウェイ装置６００から伝送路インターフェース４０６を介してベースバンド信号処理部４０４に入力される。ベースバンド信号処理部４０４では、パケットデータの分割・結合，ＲＬＣ再送制御の送信処理等のＲＬＣ  ｌａｙｅｒの送信処理、ＭＡＣ再送制御（ＨＡＲＱ（Hybrid Automatic Repeat reQuest）の送信処理や、スケジューリング、伝送フォーマット選択、チャネル符号化、ＩＦＦＴ処理が行われて送受信部４０３に転送される。送受信部４０３では、ベースバンド信号処理部４０４から出力されたベースバンド信号を無線周波数帯に変換する周波数変換処理が施され、その後、アンプ部４０２で増幅されて送受信アンテナ４０１より送信される。
【０１０７】
一方、上りリンクのデータについては、送受信アンテナ４０１で受信された無線周波数信号がアンプ部４０２で増幅され、送受信部４０３で周波数変換されてベースバンド信号に変換される。このベースバンド信号は、ベースバンド信号処理部４０４でＦＦＴ処理、誤り訂正復号、ＭＡＣ再送制御の受信処理、ＲＬＣ  ｌａｙｅｒの受信処理がなされた後、伝送路インターフェース４０６を介してアクセスゲートウェイ装置６００に転送される。
【０１０８】
呼処理部４０５では、無線基地局４００の状態管理やリソース割り当てが行われる。また、呼処理部４０５は、新規呼設定部４１３を具備し、後述するＬＴＥ呼受付判定部５００より受け取る、移動局４１がセル２０００においてEvolved UTRA and UTRAN(別名：Long Term Evolution,あるいは，Super 3G)を用いた通信を新規に開始することができるか否かの判定結果に基づき、移動局４１がセル２０００においてEvolved UTRA and UTRAN(別名：Long Term Evolution,あるいは，Super 3G)を用いた通信を開始するための処理を実行する。新規呼設定部４１３に関する説明は後述する。
【０１０９】
（ベースバンド信号処理部の構成例）
図１２は、上記ベースバンド信号処理部４０４の機能構成を示す機能ブロック図である。
同図において、ベースバンド信号処理部４０４は、レイヤー１処理部４１１と、ＭＡＣ（Medium Access Controlの略称）処理部４１２と、ＲＬＣ処理部４１４とから構成される。ベースバンド信号処理部４０４におけるレイヤー１処理部４１１とＭＡＣ処理部４１２はそれぞれ呼処理部４０５と接続される。レイヤー１処理部４１１では、下りデータのチャネル符号化や上りデータのチャネル復号化、ＩＦＦＴ・ＦＦＴ処理等が行われる。
【０１１０】
また、レイヤー１処理部４１１では、各移動局からのＬＴＥ用の上り制御チャネルに載せられて報告される下り無線状態を示す情報を受け取り、ＭＡＣ処理部４１２に通知する。ＭＡＣ処理部４１２では、Evolved UTRA and UTRAN(別名：Long Term Evolution,あるいは，Super 3G)における下り共有物理チャネルのHARQや送信待ちパケットに対するスケジューリングが行われる。また、ＭＡＣ処理部４１２では、後述するように、移動局４１が当該セル２０００において新規にEvolved UTRA and UTRAN(別名：Long Term Evolution,あるいは，Super 3G)を用いた通信を開始することができるか否かを判定する呼受付判定も行われる。ＲＬＣ処理部４１４では、下りリンクのパケットデータに関する、分割・結合，ＲＬＣ再送制御の送信処理等のＲＬＣ  ｌａｙｅｒの送信処理や、上りリンクのデータに関する、分割・結合、ＲＬＣ再送制御の受信処理等のＲＬＣ  ｌａｙｅｒの受信処理が行われる。
【０１１１】
（ＭＡＣ処理部の構成例）
図１３は、図１２に示すＭＡＣ処理部４１２の機能構成例を示す図である。同図において、ＭＡＣ処理部４１２は、例えば、以下の機能ブロックを備えて構成される。
（１）ＭＡＣリソース計算部４３０
（２）スケジューラ部４４０
（３）ＴＦＲ（Transport Format and Resource)選択部４５０
（４）移動局伝送速度初期化部４６０
（５）移動局伝送速度計算部４７０
（６）評価関数計算部４８０
（７）最低伝送速度設定部４９０
（８）ＬＴＥ呼受付判定部５００
【０１１２】
（ＭＡＣリソース計算部）
上記（１）のＭＡＣリソース計算部４３０は、ＰＤＳＣＨに割り当てる無線リソース（電力リソースや周波数リソース、ハードウェアリソースなど）を計算するパワーリソース計算部４３１と周波数リソース計算部４３２を備える。
【０１１３】
（スケジューラ部）
上記（２）のスケジューラ部４４０は、Ｎ個のプライオリティキュー（＃１〜＃Ｎ）４４１1〜４４１Nと、Ｎ個のリオーダリング部（＃１〜＃Ｎ）４４２1〜４４２Nと、Ｎ個のＨＡＲＱ部（＃１〜＃Ｎ）４４３1〜４４３Nとを有する。プライオリティキュー（＃１〜＃Ｎ）４４１1〜４４１Nとは、コネクション毎のキューであり、通常は、１ユーザで１プライオリティキューを持つが、１ユーザが複数のコネクションを持つ場合には、１ユーザで複数のプライオリティキューを持つ。プライオリティキュー（＃１〜＃Ｎ）４４１1〜４４１Nには、下りリンクのデータが入れられスケジューリングで選択されるまで蓄積される。リオーダリング部（＃１〜＃Ｎ）４４２1〜４４２Nでは、ＨＡＲＱにおける再送制御において、下りの受信順序制御を移動局ｎが行えるように、データに対してシーケンス番号を付与し、移動局ｎの受信バッファがあふれないようにウィンドウ制御を行う。ＨＡＲＱ部（＃１〜＃Ｎ）４４３1〜４４３Nでは、Ｍプロセスのストップアンドウェイトプロトコルによって、上りＡｃｋ／Ｎａｃｋ（Acknowledgment/Negative Acknowledgment）フィードバックに基づいたＨＡＲＱの再送制御を行う。ここでは、Ｍはプロセスの数を示す。
【０１１４】
（ＴＦＲ選択部）
上記（３）のＴＦＲ選択部４５０には、Ｎ個のＴＦＲSelect機能（＃１〜＃Ｎ）４５１1〜４５１Nが備えられている。これらＮ個のＴＦＲSelect機能（＃１〜＃Ｎ）４５１1〜４５１Nは、スケジューラ部４４０で選択されたユーザのデータについて、上りチャネルで受信する下り品質インジケータであるＣＱＩ（Channel Quality Indicator）や、ＭＡＣリソース計算部で計算されたＰＤＳＣＨに割り当てる無線リソース（電力リソース、周波数リソース、ハードウェアリソース）などに基づいて、下り伝送チャネルの伝送フォーマット（リソースブロックの数、変調多値数、符号化率）及び送信電力を決定する。ここで、リソースブロックとは周波数リソースに相当する。このＴＦＲ  Select機能で決定された下り伝送チャネルの伝送フォーマット及び送信電力はレイヤー１処理部へと通知される。
【０１１５】
（移動局伝送速度初期化部）
上記（４）の移動局伝送速度初期化部４６０では、後述する移動局伝送速度計算部４７０から、移動局ｎの平均伝送速度（プライオリティキュー４４１1〜４４１N毎に計算される平均伝送速度）avrgＲｎを受け取り、また、後述する最低伝送速度設定部４９０から、移動局ｎの最低伝送速度targetＲｎを受け取る。そして、上記平均伝送速度avrgＲｎを初期化するか否かを判定し、上記平均伝送速度avrgＲｎを初期化するべきだと判定した場合には、上記判定結果を、移動局伝送速度計算部４７０に通知する。さらに、移動局伝送速度初期化部４６０は上記平均伝送速度avrgＲｎを初期化するか否かの判定結果を、後述するＬＴＥ呼受付判定部５００にも通知する。
【０１１６】
ここで、以下に、上記平均伝送速度avrgＲｎを初期化するか否かの判定方法の例を記載する。
例えば、上記平均伝送速度avrgＲｎから上記最低伝送速度targetＲｎを引いたもの、すなわち、avrgＲｎ−targetＲｎが所定の伝送速度閾値Ｒthresholdよりも小さい場合には、上記平均伝送速度avrgＲｎを初期化するべきだと判定する。
【０１１７】
また、例えば、上記平均伝送速度avrgＲｎから上記最低伝送速度targetＲｎを引いたもの、すなわち、avrgＲｎ−targetＲｎが、連続する所定の時間間隔Ｔｉｍｅthresholdにおいて、所定伝送速度閾値Ｒthresholdよりも小さい場合には、上記平均伝送速度avrgＲｎを初期化するべきだと判定する。
具体的な例をあげるならば、avrgＲｎ−targetＲｎが、連続する５０ＴＴＩ（１ＴＴＩ＝１[ｍｓ]であるため、５０[ｍｓ]）において、常に所定の伝送速度閾値Ｒthresholdよりも小さい場合に、上記平均伝送速度avrgＲｎを初期化するべきだと判定してもよい。また、あるいは、avrgＲｎ−targetＲｎが、連続する５０ＴＴＩ（１ＴＴＩ＝１[ｍｓ]であるため、５０[ｍｓ]）において、所定の伝送速度閾値Ｒthresholdよりも小さいＴＴＩが２０回以上存在した場合に、上記平均伝送速度avrgＲｎを初期化するべきだと判定してもよい。
【０１１８】
なお、上記所定の伝送速度閾値Ｒthreshold及び所定の時間間隔Ｔｉｍｅthresholdは、上記例においては、全ての移動局に共通の値としているが、移動局毎に設定してもよい。また、上記所定の伝送速度閾値Ｒthreshold及び所定の時間間隔Ｔｉｍｅthresholdを、サービス種別毎、あるいは、契約種別毎、あるいは、端末種別毎、あるいは、ユーザ毎、あるいは、セル毎、あるいは、Priority Class毎に、設定してもよい。
【０１１９】
（移動局伝送速度計算部）
上記（５）の移動局伝送速度計算部４７０では、移動局ｎ（平均伝送速度）が計算される。例えば、次式に基づき移動局ｎの伝送速度（平均伝送速度）が計算される。
avrgＲｎ（ｔ）＝δ・avrgＲｎ（ｔ−１）＋（１−δ）・ｒｎ  …（６）
ここで、式（６）において、δは、平均化区間を指定するパラメータ、言い換えれば、平均化のための忘却係数（０≦δ≦１）である。本パラメータδは、前記プライオリティキュー４４１1〜４４１N内のデータに係るサービス種別や契約種別、受信器種別（ＵＥ（User Equipment）のＣapabi1ity（受信可能な変調方式や受信可能なビット数等によってクラス分けされた指標）等）、セル種別、プライオリティクラス種別に基づいて設定されることができる。
【０１２０】
また、式（６）において、ｒｎは瞬時伝送速度を示すものであり、ＭＡＣ処理部４１２において
＜１＞送信されたデータの送達確認ができたデータのサイズ（データ量）、又は
＜２＞送信されたデータのサイズ（データ量）、又は
＜３＞移動局ｎから報告される下り瞬時の無線状態、あるいは、前記無線状態から推定される送信可能なデータのサイズ（データ量）
のいずれかを移動局ｎにおけるデータ伝送速度（瞬時のデータ伝送速度）とする。
【０１２１】
上記式（６）に基づいて求められた移動局ｎの平均伝送速度の更新機会の組み合わせは、例えば、以下の式（７）に示すようなものが考えられる。
タイプ＃        avrgＲｎの更新機会                  ｒｎの計算方法
１        接続時間中の全てのＴＴＩ毎                上記＜１＞
２        接続時間中の全てのＴＴＩ毎                上記＜２＞
３        接続時間中の全てのＴＴＩ毎                上記＜３＞
４        スケジューリングの計算を行ったＴＴＩ毎    上記＜１＞
５        スケジューリングの計算を行ったＴＴＩ毎    上記＜２＞
…（７）
【０１２２】
移動局伝送速度計算部４７０は、移動局伝送速度初期化部４６０から、平均伝送速度avrgＲｎを初期化するべきである、と通知された場合、上記平均伝送速度avrgＲｎを初期化する。具体的な初期化方法としては、例えば、平均伝送速度avrgＲｎを瞬時の無線状態Ｒｎと同一とする、といった方法が考えられる。ここで、瞬時の無線状態Ｒｎは、例えば、レイヤー１処理部４１１から出力される移動局ｎの下りリンクの瞬時の無線状態、あるいは、上記無線状態から推定される送信可能なデータのサイズ（データ量）である。
【０１２３】
なお、移動局ｎの平均伝送速度avrgＲｎを求めるには、上記方法の他に、例えば、データリンク層でのデータの伝送速度を測定する機能がＭＡＣ処理部４１２に備えられ、移動局ｎがデータ通信状態に入った後、ＭＡＣ処理部４１２に流入したデータ量を一定時間毎に測定する。そして、その測定された一定時間毎のデータ量を移動局ｎにおける平均伝送速度avrgＲｎとする場合もある。
【０１２４】
（評価関数計算部）
上記（６）の評価関数計算部４８０では、スケジューラ部４４０でのスケジューリングの際に用いられる移動局毎の評価関数が計算される。スケジューラ部４４０では、上記の評価関数計算部４８０で計算された移動局毎の評価関数のうち最大の評価関数を持つ移動局ｎを選択し、その移動局ｎに対し物理共有チャネル（ＰＤＳＣＨ）を割り当てる。すなわち、下りリンクの送信割り当てを行う。
【０１２５】
（最低伝送速度設定部）
上記（７）の最低伝送速度設定部４９０は、プライオリティキュー４４１1乃至４４１N内の下りバケットについて考慮すべき最低伝送速度targetＲｎを設定し、上記最低伝送速度targetＲｎを、移動局伝送速度初期化部４６０及び評価関数計算部４８０に通知する。
ここで、最低伝送速度設定部４９０は、呼処理部４０５を介して遠隔からの指定に応じて、最低伝送速度targetＲｎを設定するように構成されてもよい。
【０１２６】
また、最低伝送速度設定部４９０は、サービス種別毎に、契約種別毎に、端末種別毎に、セル種別毎に、又は優先度クラス毎に、最低伝送速度targetＲｎを設定するように構成されてもよい。例えば、サービス種別は、下りパケットを伝送するサービスの種別を示すものであり、例えば、ＶｏＩＰ（Voice over Internet Protocol）サービスや音声サービスやストリーミングサービスやＦＴＰサービス等を含む。また、契約種別は、下りパケットの宛先移動局のユーザが加入している契約の種別を示すものであり、例えば、Low Class契約やHigh Class契約等を含む。また、端末種別は、下りパケットの宛先移動局の性能をクラス分けするものであり、移動局の識別情報に基づくクラスや、受信可能な変調方式やビット数等の端末能力等を含む。また、セル種別は、下りパケットの宛先移動局が在圏するセルの形態の種別を示すものであり、例えば、セルの識別情報に基づくクラスや、屋内又は屋外や、郊外又は市街地や、高トラヒック地帯又は低トラヒック地帯等を含む。さらには、優先度クラスは、下りパケットの送信に関わる優先度を示すものであり、例えば、第１の優先度の下りパケットは、第２の優先度の下りパケットよりも優先的に送信される。
【０１２７】
また、最低伝送速度設定部４９０は、
avrgＲｎ−targetＲｎ≦minusＲｎ    …（８）
の場合、評価関数Ｃｎの分母に設定すべき値minusＲｎを、プライオリティキュー４４１1乃至４４１N毎に設定するように構成されている。なお、式（８）において、avrgＲｎは平均伝送速度、targetＲｎは最低伝送速度である。
ここで、最低伝送速度設定部４９０は、targetＲｎ＝０と設定してもよい。この場合、評価関数計算部４８０において用いられる評価関数Ｃｎは一般的なＰＦ（Proportional Fairness）スケジューリングを提供することになる。
【０１２８】
（ＬＴＥ呼受付判定部）
上記（８）のＬＴＥ呼受付判定部５００は、移動局伝送速度初期化部４６０から、移動局ｎに関してその平均伝送速度avrgＲｎが初期化されたか否かの判定結果を受け取る。そして、上記平均伝送速度avrgＲｎが初期化された移動局の数あるいは割合に基づいて、移動局４１がセル２０００においてEvolved UTRA and UTRAN(別名：Long Term Evolution,あるいは，Super 3G)を用いた通信を新規に開始することができるか否かの判定を行い、上記判定結果を、呼処理部４０５内の新規呼設定部４１３に通知する。
【０１２９】
ここで、以下に、ＬＴＥ呼受付判定部５００が、その平均伝送速度avrgＲｎが初期化された移動局の数あるいは割合に基づいて、移動局４１がセル２０００においてEvolved UTRA and UTRAN(別名：Long Term Evolution,あるいは，Super 3G)を用いた通信を新規に開始することができるか否かを判定する方法を記載する。
例えば、ＬＴＥ呼受付判定部５００は、平均伝送速度avrgＲｎが初期化された移動局の数を算出し、上記平均伝送速度avrgＲｎが初期化された移動局の数が１０よりも小さい場合に、移動局４１はセル２０００においてEvolved UTRA and UTRAN(別名：Long Term Evolution,あるいは，Super 3G)を用いた通信を新規に開始することができると判定し、平均伝送速度avrgＲｎが初期化された移動局の数が１０以上である場合に、移動局４１はセル２０００においてEvolved UTRA and UTRAN(別名：Long Term Evolution,あるいは，Super 3G)を用いた通信を新規に開始することができないと判定してもよい。
【０１３０】
さらに例えば、ＬＴＥ呼受付判定部５００は、平均伝送速度avrgＲｎが初期化された移動局の割合を算出し、上記平均伝送速度avrgＲｎが初期化された移動局の割合が、セル２０００においてEvolved UTRA and UTRAN(別名：Long Term Evolution,あるいは，Super 3G)を用いた通信を行っている全移動局の２０％よりも小さい場合に、移動局４１はセル２０００においてEvolved UTRA and UTRAN(別名：Long Term Evolution,あるいは，Super 3G)を用いた通信を新規に開始することができると判定し、平均伝送速度avrgＲｎが初期化された移動局の割合が、セル２０００においてEvolved UTRA and UTRAN(別名：Long Term Evolution,あるいは，Super 3G)を用いた通信を行っている全移動局の２０％以上である場合に、移動局４１はセル２０００においてEvolved UTRA and UTRAN(別名：Long Term Evolution,あるいは，Super 3G)を用いた通信を新規に開始することができないと判定してもよい。ここで、上記セル２０００においてEvolved UTRA and UTRAN(別名：Long Term Evolution,あるいは，Super 3G)を用いた通信を行っている全移動局とは、プライオリティキューにデータが滞留している状態にある全ての移動局であってもよいし、あるいは、無線基地局４００との間でコネクションが設定されている状態にある全ての移動局であってもよい。
【０１３１】
また、上述した２つの例では、その平均伝送速度avrgＲｎが初期化された移動局の数に基づいて、移動局４１がセル２０００においてEvolved UTRA and UTRAN(別名：Long Term Evolution,あるいは，Super 3G)を用いた通信を新規に開始することができるか否かを判定する方法と、その平均伝送速度avrgＲｎが初期化された移動局の割合に基づいて、移動局４１がセル２０００においてEvolved UTRA and UTRAN(別名：Long Term Evolution,あるいは，Super 3G)を用いた通信を新規に開始することができるか否かを判定する方法と、を記載したが、その平均伝送速度avrgＲｎが初期化された移動局の数とその割合との両方に基づいて、移動局４１がセル２０００においてEvolved UTRA and UTRAN(別名：Long Term Evolution,あるいは，Super 3G)を用いた通信を新規に開始することができるか否かを判定してもよい。
【０１３２】
ここで、上記における平均伝送速度avrgＲｎが初期化された移動局の数または割合とは、例えば、所定の測定時間の間に平均伝送速度avrgＲｎが初期化された移動局の数または割合のことである。例えば、ＬＴＥ呼受付判定部５００が上記判定を行う時点から見た、過去の３分間に少なくとも１回、平均伝送速度avrgＲｎが初期化された移動局の数または割合のことである。あるいは、所定の測定時間の間に平均伝送速度avrgＲｎが初期化された回数が所定の閾値以上の移動局を、平均伝送速度avrgＲｎが初期化された移動局としてもよい。例えば、ＬＴＥ呼受付判定部５００が上記判定を行う時点から見た、過去の３分間に少なくとも３回以上、平均伝送速度avrgＲｎが初期化された移動局の数または割合のことである。
【０１３３】
なお、上述した移動局４１がセル２０００においてＬＴＥを用いた通信を新規に開始することができるか否かの判定を、Priority Class毎に行ってもよい。この場合、Priority Class毎に平均伝送速度avrgＲｎが初期化された移動局の数あるいは割合を算出して、上述したような判定を行う。
あるいは、複数のPriority Classに関する平均伝送速度avrgＲｎが初期化された移動局の数あるいは割合の合計を用いて、上述したような判定を行ってもよい。この場合、平均伝送速度avrgＲｎが初期化された移動局の数あるいは割合を、Priority Classに応じた重み付けを行って合計してもよい。例えば、優先度の高いPriority Classと、優先度の低いPriority Classとが存在する場合に、優先度の高いPriority Classの移動局に関しては、平均伝送速度avrgＲｎが初期化された移動局の数あるいは割合に１．０を掛け算し、優先度の低いPriority Classの移動局に関しては、平均伝送速度avrgＲｎが初期化された移動局の数あるいは割合に０．５を掛け算して、合計を行ってもよい。また、あるいは、優先度の低いPriority Classの移動局に関しては、平均伝送速度avrgＲｎが初期化された移動局の数あるいは割合に０．０を掛け算して、合計を行ってもよい。
【０１３４】
あるいは、上記した移動局４１がセル２０００においてEvolved UTRA and UTRAN(別名：Long Term Evolution,あるいは，Super 3G)を用いた通信を新規に開始することができるか否かの判定を、サービス種別毎、あるいは、契約種別毎、あるいは、端末種別毎、あるいは、ユーザ毎、あるいは、セル毎に行ってもよい。この場合、サービス種別毎、あるいは、契約種別毎、あるいは、端末種別毎、あるいは、ユーザ毎、あるいは、セル毎に、平均伝送速度avrgＲｎが初期化された移動局の数あるいはその割合を算出して、上述したような判定を行う。
なお、上述した例では、初期化された移動局の数あるいは割合を用いて判定を行ったが、移動局が複数のプライオリティキューを持つ場合には、初期化された移動局のプライオリティキューの数あるいはその割合を用いて判定を行ってもよい。この場合、スケジューリングに関連する処理も移動局が持つプライオリティキュー毎に行われる。
【０１３５】
なお、上述した例では、ＬＴＥ呼受付判定部５００は、平均伝送速度avrgＲｎが初期化された移動局の数あるいは割合に基づいて、移動局４１がセル２０００においてEvolved UTRA and UTRAN(別名：Long Term Evolution,あるいは，Super 3G)を用いた通信を新規に開始することができるか否かの判定を行ったが、より簡単に、各移動局ｎの伝送速度に基づいて、移動局４１がセル２０００においてEvolved UTRA and UTRAN(別名：Long Term Evolution,あるいは，Super 3G)を用いた通信を新規に開始することができるか否かの判定を行ってもよい。例えば、移動局伝送速度計算部４７０より各移動局ｎの伝送速度avrgＲｎを受け取り、上記各移動局ｎの伝送速度avrgＲｎに基づいて、移動局４１がセル２０００においてEvolved UTRA and UTRAN(別名：Long Term Evolution,あるいは，Super 3G)を用いた通信を新規に開始することができるか否かの判定を行ってもよい。具体的には、伝送速度avrgＲｎが所定の閾値よりも小さい移動局の数、あるいは、割合に基づいて、移動局４１がセル２０００においてEvolved UTRA and UTRAN(別名：Long Term Evolution,あるいは，Super 3G)を用いた通信を新規に開始することができるか否かの判定を行ってもよい。
【０１３６】
新規呼設定部４１３は、ＬＴＥ呼受付判定部５００より、移動局４１がセル２０００においてEvolved UTRA and UTRAN(別名：Long Term Evolution,あるいは，Super 3G)を用いた通信を新規に開始することができるか否かの判定結果を受け取る。そして、新規呼設定部４１３は、移動局４１がセル２０００においてEvolved UTRA and UTRAN(別名：Long Term Evolution,あるいは，Super 3G)を用いた通信を新規に開始することができるという判定結果の場合には、移動局４１がセル２０００においてEvolved UTRA and UTRAN(別名：Long Term Evolution,あるいは，Super 3G)を用いた通信を開始するための処理を実行する。すなわち、通信を開始するための制御信号を移動局４１に通知し、通信の設定を行う。一方、新規呼設定部４１３は、移動局４１がセル２０００においてEvolved UTRA and UTRAN(別名：Long Term Evolution,あるいは，Super 3G)を用いた通信を新規に開始することができないという判定結果の場合には、移動局４１がセル２０００においてEvolved UTRA and UTRAN(別名：Long Term Evolution,あるいは，Super 3G)を用いた通信を開始するための処理を実行しない。この場合、例えば、新規呼設定部４１３は、Evolved UTRA and UTRAN(別名：Long Term Evolution,あるいは，Super 3G)を用いた通信を開始するための処理を実行する代わりに、移動局２１に、Evolved UTRA and UTRAN(別名：Long Term Evolution,あるいは，Super 3G)の通信を行うことができないという情報を通知してもよい。この場合、移動局４１が開始しようとした通信は呼損となる。
【０１３７】
次に、本発明に係る呼受付制御の動作について、図１４に示すフローチャートを用いて説明する。なお、本発明に係る呼受付制御は、スケジューリング動作と関連しているため、図１５を用いてスケジューリングの動作についても説明を行う。
（呼受付制御）
図１４において、まずステップＳ３１において、ＬＴＥ呼受付判定部５００は、移動局４１がセル２０００において新規にEvolved UTRA and UTRAN(別名：Long Term Evolution,あるいは，Super 3G)を用いた通信を開始しようとしているという情報を取得する。ステップＳ３２において、ＬＴＥ呼受付判定部５００は、移動局伝送速度初期化部４６０より、平均伝送速度avrgＲｎが初期化された移動局の数を取得する。
【０１３８】
ステップＳ３３において、平均伝送速度avrgＲｎが初期化された移動局の数が所定の閾値、例えば「１０」よりも小さいか否かを判定する。そして、平均伝送速度avrgＲｎが初期化された移動局の数が所定の閾値よりも小さいと判定した場合にはステップＳ３４に進み、平均伝送速度avrgＲｎが初期化された移動局の数が所定の閾値よりも小さくないと場合にはステップＳ３６に進む。
【０１３９】
ステップＳ３４において、ＬＴＥ呼受付判定部５００は、移動局４１がセル２０００において新規にEvolved UTRA and UTRAN(別名：Long Term Evolution,あるいは，Super 3G)を用いた通信を開始することができると判定する。
ステップＳ３５において、新規呼設定部４１３は、移動局４１がセル２０００において新規にEvolved UTRA and UTRAN(別名：Long Term Evolution,あるいは，Super 3G)を用いた通信を行うための通信の設定を行う。
【０１４０】
ステップＳ３６において、ＬＴＥ呼受付判定部５００は、移動局４１がセル２０００において新規にEvolved UTRA and UTRAN(別名：Long Term Evolution,あるいは，Super 3G)を用いた通信を開始することができないと判定する。
ステップＳ３７において、新規呼設定部４１３は、移動局４１はセル２０００において新規に通信を行うことができないと判断し、どのような通信の設定も行わないという処理を行ってもよい。この場合、移動局４１が行おうとした通信は呼損となる。
【０１４１】
ところで、上記のステップＳ３２、Ｓ３３において、指標として平均伝送速度avrgＲｎが初期化された移動局の数を用いたが、代わりに、セル２０００において通信を行っている全ての移動局の数に対する、平均伝送速度avrgＲｎが初期化された移動局の数の割合を用いてもよい。
さらに、上記においては、ステップＳ３２〜Ｓ３７の処理が、移動局４１がセル２０００において新規にEvolved UTRA and UTRAN(別名：Long Term Evolution,あるいは，Super 3G)を用いた通信を開始したタイミングで行われる場合を記載したが、予め決められた時間間隔でステップＳ３２〜Ｓ３７の処理を行ってもよい。例えば、３秒を判定周期とし、３秒毎にステップＳ３２〜Ｓ３７の処理を行ってもよい。この場合、セル２０００において新規に通信を行うことができると判定した場合には、新規呼設定部４１３は、その次の３秒間において、セル２０００においてEvolved UTRA and UTRAN(別名：Long Term Evolution,あるいは，Super 3G)を用いた通信を開始しようとした全ての移動局に対して、Evolved UTRA and UTRAN(別名：Long Term Evolution,あるいは，Super 3G)を用いた通信を行うための通信の設定を行う。また、セル２０００において新規に通信を行うことができないと判定した場合には、新規呼設定部４１３は、その次の３秒間において、セル２０００においてEvolved UTRA and UTRAN(別名：Long Term Evolution,あるいは，Super 3G)を用いた通信を開始しようとした全ての移動局に対して、通信の設定を行わないという処理を行う。
【０１４２】
（スケジューリング動作）
次に、図１５を用いて、本発明に係る呼受付制御と関連するスケジューリング動作について説明を行う。
図１５において、ＭＡＣ処理部４１２の評価関数計算部４８０は、まず、ステップＳ２０１において、移動局ｎの評価関数を計算するための初期値設定を行う。
【０１４３】
（初期値設定）
ｎ＝１
Ｃmax＝０
ｎmax＝０
ここで、ｎは移動局の添え字を表し、Ｃmaxは、評価関数の最大値を表し、ｎmaxは、評価関数が最大となる移動局の添え字を表す。
【０１４４】
ステップＳ２０２〜Ｓ２０４では、評価関数Ｃｎの計算に用いる下記の（１）〜（３）の情報の取得が行われる。
（１）ステップＳ２０２：レイヤー１処理部４１１から出力される移動局ｎの下りリンクの瞬時の無線状態、あるいは、上記無線状態から推定される送信可能なデータのサイズ（データ量）の取得（但し、「無線状態から推定される送信可能なデータのサイズ」とは、下りの品質を示すＣＱＩ、或いは、下り伝送チャネルの瞬時ＳＩＲと、ＭＡＣリソース計算部で計算されたＰＤＳＣＨに割り当てる無線リソースとから、所定の誤り率で送信可能と推定されるデータのサイズのことを表す）
【０１４５】
（２）ステップＳ２０３：移動局伝送速度計算部４７０から出力される移動局ｎの平均伝送速度avrgＲｎの取得
（３）ステップＳ２０４：最低伝送速度設定部４９０から出力される移動局ｎの最低伝送速度targetＲｎの取得
ステップＳ２０５では、上記（１）〜（３）の情報が全て取得されたかどうかが判定され、上記（１）〜（３）の情報が全て取得されたと判定されたとき（ステップＳ２０５でＹＥＳ）は、次ステップに移行し、そうでなければ（ステップＳ２０５でＮＯ）、上記（１）〜（３）の情報のうち未取得情報の取得が行われる。
【０１４６】
ステップＳ２０６では、平均伝送速度avrgＲｎを初期化するか否かの判定を行う。例えば、連続する所定の時間間隔Ｔｉｍｅthresholdにおいて、avrgＲｎ−targetＲｎが、所定の伝送速度閾値Ｒthresholdよりも小さい場合には（ステップＳ２０６でＹＥＳ）ステップＳ２０７に進み、そうでない場合には（ステップＳ２０６でＮＯ）、ステップＳ２０８に進む。
【０１４７】
ステップＳ２０７では、ステップＳ２０６において、平均伝送速度avrgＲｎを初期化すると判定されたため、平均伝送速度avrgＲｎを初期化する。
ステップＳ２０８では、呼処理部４０５を介して遠隔から指定される指数パラメータ（α、β）を受け取り、ステップＳ２０９で次の式（４）に従って、評価関数（Ｃｎ）が計算される。
（avrgＲｎ−targetＲｎ）＞minusＲｎ  の時
Ｃｎ＝Ｒｎα／（avrgＲｎ−targetＲｎ）β
（avrgＲｎ−targetＲｎ）≦minusＲｎ  の時
Ｃｎ＝Ｒｎα／minusＲｎβ
…（４）
【０１４８】
以下に、ステップＳ２０６、Ｓ２０７において、平均伝送速度avrgＲｎを初期化することの作用効果を説明する。avrgＲｎ−targetＲｎが、「０」に近づいた場合、当該移動局ｎに関する評価関数Ｃｎの値は増大する。この動作は、その平均伝送速度が考慮すべき最低伝送速度よりも小さくなった移動局ｎに対してパケット（ＰＤＳＣＨ）を優先的に割り当てることとなり、本来であれば正しい動作であるが、逆に、そのような平均伝送速度が考慮すべき最低伝送速度よりも小さい移動局が多数存在した場合には、上記移動局に必要以上にパケットを割り当てることとなり、他の移動局にパケットが割り当てられず、システム全体のスループットは劣化する。そこで、ある所定の時間間隔Ｔｉｍｅthresholdにおいて、上記移動局ｎのavrgＲｎ−targetＲｎが、所定の伝送速度閾値Ｒthresholdよりも小さい場合に、上記平均伝送速度avrgＲｎを初期化することにより、上記システム全体のスループットの劣化を回避することが可能となる。
【０１４９】
また、上記のような平均伝送速度avrgＲｎが初期化される移動局の数または割合は、当該セルの輻輳状態を示す指標として用いることができる。すなわち、考慮すべき最低伝送速度を満たすことができない移動局が多数存在する場合には、当該セルは輻輳状態にあると判断することができる。一方で、考慮すべき最低伝送速度を満たすことができない移動局が多数存在しない場合には、当該セルは輻輳状態にないと判断することができる。
【０１５０】
ここで、上記所定の時間間隔Ｔｉｍｅthresholdや、所定の伝送速度閾値Ｒthresholdは、遠隔、例えば、無線基地局４００の上位ノード（例：コアネットワーク上のサーバ等）から指定する。例えば、呼処理制御信号に含められて上位ノードから無線基地局４００へと通知される。無線基地局４００は、上記呼処理制御信号に含まれる所定の時間間隔Ｔｉｍｅthresholdや、所定の伝送速度閾値Ｒthresholdを、呼処理部４０５で受け取り、ベースバンド信号処理部４０４内のＭＡＣ処理部４１２の評価関数計算部４８０に転送する。また、あるいは、上記所定の時間間隔Ｔｉｍｅthresholdや、所定の伝送速度閾値Ｒthresholdは、無線基地局４００の局データとして保持され、ベースバンド信号処理部４０４内のＭＡＣ処理部４１２の評価関数計算部４８０は、上記局データ内の上記所定の時間間隔Ｔｉｍｅthresholdや、所定の伝送速度閾値Ｒthresholdを参照してもよい。
【０１５１】
また、本発明は、上記発明に限定されることはなく、評価関数Ｃｎの式の一部が“（avrgＲｎ−targetＲｎ）β”であるスケジューラの場合に適用することが可能である。例えば、評価関数の式が、
Ｃｎ＝Ｒｎα／exp(（avrgＲｎ−targetＲｎ）・γ)  …（９）
というスケジューラの場合にも、本発明により、平均伝送速度avrgＲｎが、連続する所定の時間間隔Ｔｉｍｅthresholdにおいて、所定の伝送速度閾値Ｒthresholdよりも小さい場合には、上記平均伝送速度avrgＲｎを初期化する、という処理を加えてもよい。但し、式（９）において、α、γはパラメータ係数である。
【０１５２】
上記のようにしてステップＳ２０９で評価関数Ｃｎが計算されると、その計算された評価関数Ｃｎが最大値であるかどうかの判定（ステップＳ２１０）が行われる。ここでは、Ｃmax＝０に設定（初期値）されているので、ステップＳ２０９で測定された評価関数ＣｎがＣmaxに設定され、そのＣmaxが与える移動局ｎが移動局ｎmaxとして設定される（ステップＳ２１１）。
【０１５３】
ステップＳ２１２では、次の移動局の評価関数を計算するために移動局ｎを＋１インクリメントする。そして、移動局ｎが無線基地局と通信中の移動局数（ｍ）を超えると判断されなければ（ステップＳ２１３でＮＯ）、上記のステップＳ２０２以降のループ処理が移動局数（ｍ）を超えると判断されるまで繰り返し行われる。すなわち、無線基地局と通信中の移動局全ての評価関数Ｃｎが計算される。一方、ステップＳ２１３で移動局ｎが無線基地局と通信中の移動局数（ｍ）を超えると判断されたときは（ステップＳ２１３でＹＥＳ）、ステップＳ２１１で設定された移動局ｎmaxに対して物理共有チャネルの割り当てを行うようにスケジューラ部４４０に指示する（ステップＳ２１４）。
【０１５４】
以上説明したような本実施形態によれば、平均伝送速度avrgＲｎの初期化を行うスケジューリングにおいて、上記平均伝送速度avrgＲｎの初期化が行われた移動局の数に基づいて輻輳状態を推定することにより、セルの形態、トラヒック状況に関係なく、呼受付制御を行うことが可能となる。
なお、ＭＡＣ処理部４１２の評価関数計算部４８０は、例えば、ＣＰＵやデジタルシグナルプロセッサ（ＤＳＰ）、或いはＦＰＧＡ（Field Programmable Gate Array）等のプログラムの書き換えが可能なプログラマブルデバイスで構成され、所定のメモリ領域に上述した評価関数のプログラムが記憶され、パラメータ（α、γ、δ、Ｔｉｍｅthreshold、Ｒthreshold）をダウンロードして書き換える構成がとられる。この時、上記パラメータ（α、γ、δ、Ｔｉｍｅthreshold、Ｒthreshold）を無線基地局の上位ノードからダウンロードしてもよいし、評価関数計算部４８０に端末Ｉ／Ｆ（外部インターフェース機能）を設け、端末から直接上記パラメータ（α、γ、δ、Ｔｉｍｅthreshold、Ｒthreshold）を読み込ませるような形態であってもよい。
【０１５５】
また、上述したＭＡＣ処理部４１２の各機能ブロックは、ハードウェアで分割される場合もあるし、プロセッサ上のプログラムでソフトウェアとして分割されている場合もありうる。
また、上述した本発明に係る呼受付制御の動作では、平均伝送速度avrgＲｎが初期化された移動局の数あるいは割合に基づいて、移動局４１がセル２０００においてEvolved UTRA and UTRAN(別名：Long Term Evolution,あるいは，Super 3G)を用いた通信を新規に開始することができるか否かの判定を行ったが、より簡単に、各移動局ｎの伝送速度に基づいて、移動局４１がセル２０００においてEvolved UTRA and UTRAN(別名：Long Term Evolution,あるいは，Super 3G)を用いた通信を新規に開始することができるか否かの判定を行ってもよい。各移動局ｎの伝送速度に基づいて、移動局４１がセル２０００においてEvolved UTRA and UTRAN(別名：Long Term Evolution,あるいは，Super 3G)を用いた通信を新規に開始することができるか否かの判定を行った場合の呼受付制御の動作を、図１６に示すフローチャートを用いて説明する。
【０１５６】
図１６において、まずステップＳ５１において、ＬＴＥ呼受付判定部５００は、移動局４１がセル２０００において新規にEvolved UTRA and UTRAN(別名：Long Term Evolution,あるいは，Super 3G)を用いた通信を開始しようとしているという情報を取得する。
ステップＳ５２において、ＬＴＥ呼受付判定部５００は、移動局伝送速度計算部４７０より、各移動局ｎの平均伝送速度avrgＲｎを取得し、上記平均伝送速度avrgＲｎが所定の閾値ＴＨ１よりも小さい移動局の数を取得する。ここで、例えば、上記所定の閾値ＴＨ１を６４ｋｂｐｓと設定することができる。また、例えば、上記平均伝送速度avrgＲｎが、連続する所定の時間間隔Ｔｉｍｅthresholdにおいて、所定の閾値ＴＨ１よりも小さい移動局の数を取得してもよい。
【０１５７】
ステップＳ５３において、上記平均伝送速度avrgＲｎが所定の閾値ＴＨ１よりも小さい移動局の数が、所定の閾値ＴＨ２、例えば「１０」よりも小さいか否かを判定する。そして、平均伝送速度avrgＲｎが所定の閾値ＴＨ１よりも小さい移動局の数が所定の閾値ＴＨ２よりも小さいと判定した場合にはステップＳ５４に進み、平均伝送速度avrgＲｎが所定の閾値ＴＨ１よりも小さい移動局の数が所定の閾値ＴＨ２よりも小さくないと場合にはステップＳ５６に進む。
【０１５８】
ステップＳ５４において、ＬＴＥ呼受付判定部５００は、移動局４１がセル２０００において新規にEvolved UTRA and UTRAN(別名：Long Term Evolution,あるいは，Super 3G)を用いた通信を開始することができると判定する。
ステップＳ５５において、新規呼設定部４１３は、移動局４１がセル２０００において新規にEvolved UTRA and UTRAN(別名：Long Term Evolution,あるいは，Super 3G)を用いた通信を行うための通信の設定を行う。
【０１５９】
ステップＳ５６において、ＬＴＥ呼受付判定部５００は、移動局４１がセル２０００において新規にEvolved UTRA and UTRAN(別名：Long Term Evolution,あるいは，Super 3G)を用いた通信を開始することができないと判定する。
ステップＳ５７において、新規呼設定部４１３は、移動局４１はセル２０００において新規に通信を行うことができないと判断し、どのような通信の設定も行わないという処理を行ってもよい。この場合、移動局４１が行おうとした通信は呼損となる。
【０１６０】
ところで、上記のステップＳ５２、Ｓ５３において、指標として平均伝送速度avrgＲｎが所定の閾値ＴＨ１よりも小さい移動局の数を用いたが、代わりに、セル２０００において通信を行っている全ての移動局の数に対する、平均伝送速度avrgＲｎが所定の閾値ＴＨ１よりも小さい移動局の数の割合を用いてもよい。
さらに、上記においては、ステップＳ５２〜Ｓ５７の処理が、移動局４１がセル２０００において新規にEvolved UTRA and UTRAN(別名：Long Term Evolution,あるいは，Super 3G)を用いた通信を開始したタイミングで行われる場合を記載したが、予め決められた時間間隔でステップＳ５２〜Ｓ５７の処理を行ってもよい。例えば、３秒を判定周期とし、３秒毎にステップＳ５２〜Ｓ５７の処理を行ってもよい。この場合、セル２０００において新規に通信を行うことができると判定した場合には、新規呼設定部４１３は、その次の３秒間において、セル２０００においてEvolved UTRA and UTRAN(別名：Long Term Evolution,あるいは，Super 3G)を用いた通信を開始しようとした全ての移動局に対して、Evolved UTRA and UTRAN(別名：Long Term Evolution,あるいは，Super 3G)を用いた通信を行うための通信の設定を行う。また、セル２０００において新規に通信を行うことができないと判定した場合には、新規呼設定部４１３は、その次の３秒間において、セル２０００においてEvolved UTRA and UTRAN(別名：Long Term Evolution,あるいは，Super 3G) を用いた通信を開始しようとした全ての移動局に対して、通信の設定を行わないという処理を行う。
【０１６１】
また、上記実施例は、Evolved UTRA and UTRAN(別名：Long Term Evolution,あるいは，Super 3G)の下りリンクに関して記述したが、同様の制御を上りリンクに関して行ってもよい。
上記実施例において、移動局伝送速度計算部４７０の機能が伝送速度把握手段、最低伝送速度設定部４９０の機能が最低伝送速度設定手段、ＬＴＥ呼受付判定部５００の機能が判定手段、新規呼設定部４１３の機能が新規無線端末受付手段に対応する。
また、上記実施例において、無線基地局４００は、呼受付制御装置に対応し、移動局（＃１〜＃３）３０〜３２は無線端末に対応する。
【０１６２】
（実施形態４）
以下、本発明の実施形態４について、図面を参照して説明する。
上述した実施形態３において、ＬＴＥ呼受付判定部５００は、平均伝送速度avrgＲｎが初期化された移動局数あるいは割合に基づいて、移動局４１がセル２０００においてEvolved UTRA and UTRAN(別名：Long Term Evolution,あるいは，Super 3G)を用いた通信を新規に開始することができるか否かの判定を行った。しかしながら、上記のような呼受付判定は、以下のような問題を抱えている。例えば、当該セルに２台の移動局が通信を行っており、その内の１台が極めて無線品質の悪い環境に存在し、その平均伝送速度avrgＲｎが初期化されたとする。この場合、平均伝送速度avrgＲｎが初期化された割合は５０％となり、閾値を３０％に設定したとすると、セル内に２台の移動局しか存在しないにも関わらず、当該セルは輻輳状態にあると判断されてしまう。
【０１６３】
以下に説明する実施の形態４においては、上記問題を克服するために、平均伝送速度avrgＲｎが初期化された移動局数あるいは割合だけでなく、当該セルにおいて通信を行っている全移動局の数をも用いて呼受付判定を行う。
本実施の形態４に係る呼受付制御装置を用いた移動通信システムの構成は、上記実施の形態３とほぼ同様であり、異なる点は、ＬＴＥ呼受付判定部５００の機能のみである。よって、以下では、ＬＴＥ呼受付判定部５００の機能に関してのみ記載を行い、それ以外に関しては省略する。
【０１６４】
ＬＴＥ呼受付判定部５００は、移動局伝送速度初期化部４６０から、移動局ｎに関してその平均伝送速度avrgＲｎが初期化されたか否かの判定結果を受け取る。そして、上記平均伝送速度avrgＲｎが初期化された移動局の数あるいは割合と、当該セル２０００において通信を行っている移動局の数とに基づいて、移動局４１がセル２０００においてEvolved UTRA and UTRAN(別名：Long Term Evolution,あるいは，Super 3G)を用いた通信を新規に開始することができるか否かの判定を行い、上記判定結果を、呼処理部４０５内の新規呼設定部４１３に通知する。
【０１６５】
ここで、以下に、ＬＴＥ呼受付判定部５００が、その平均伝送速度avrgＲｎが初期化された移動局の数とその割合とのいずれか一方と、当該セル２０００において通信を行っている移動局の数とに基づいて、移動局４１がセル２０００においてEvolved UTRA and UTRAN(別名：Long Term Evolution,あるいは，Super 3G)を用いた通信を新規に開始することができるか否かを判定する方法を記載する。
【０１６６】
例えば、ＬＴＥ呼受付判定部５００は、平均伝送速度avrgＲｎが初期化された移動局の数と、当該セル２０００において通信を行っている移動局の数と、に基づいて、移動局４１がセル２０００においてEvolved UTRA and UTRAN(別名：Long Term Evolution,あるいは，Super 3G)を用いた通信を新規に開始することができるか否かを判定してもよい。例えば、平均伝送速度avrgＲｎが初期化された移動局の数が「１０」よりも小さい場合、あるいは、当該セル２０００において通信を行っている移動局の数が「２０」よりも小さい場合に、移動局４１はセル２０００においてEvolved UTRA and UTRAN(別名：Long Term Evolution,あるいは，Super 3G)を用いた通信を新規に開始することができると判定し、平均伝送速度avrgＲｎが初期化された移動局の数が「１０」以上であり、かつ、当該セル２０００において通信を行っている移動局の数が「２０」よりも以上である場合に、移動局４１はセル２０００においてEvolved UTRA and UTRAN(別名：Long Term Evolution,あるいは，Super 3G)を用いた通信を新規に開始することができないと判定してもよい。
【０１６７】
また、例えば、ＬＴＥ呼受付判定部５００は、平均伝送速度avrgＲｎが初期化された移動局の割合と、当該セル２０００において通信を行っている移動局の数と、に基づいて、移動局４１がセル２０００においてEvolved UTRA and UTRAN(別名：Long Term Evolution,あるいは，Super 3G)を用いた通信を新規に開始することができるか否かを判定してもよい。例えば、平均伝送速度avrgＲｎが初期化された移動局の割合が２０％よりも小さい場合、あるいは、当該セル２０００において通信を行っている移動局の数が「２０」よりも小さい場合に、移動局４１はセル２０００においてEvolved UTRA and UTRAN(別名：Long Term Evolution,あるいは，Super 3G)を用いた通信を新規に開始することができると判定し、平均伝送速度avrgＲｎが初期化された移動局の割合が２０％以上であり、かつ、当該セル２０００において通信を行っている移動局の数が「２０」よりも以上である場合に、移動局４１はセル２０００においてEvolved UTRA and UTRAN(別名：Long Term Evolution,あるいは，Super 3G)を用いた通信を新規に開始することができないと判定してもよい。
【０１６８】
ここで、上記当該セル２０００において通信を行っている移動局の数とは、プライオリティキューにデータが滞留している状態の移動局の数であってもよいし、あるいは、無線基地局４００との間でコネクションが設定されている状態の移動局の数であってもよい。
また、上記の例において、当該セル２０００において通信を行っている移動局の数が、固定の閾値である「２０」よりも以上であるかそうでないかで、移動局４１がセル２０００においてEvolved UTRA and UTRAN(別名：Long Term Evolution,あるいは，Super 3G)を用いた通信を新規に開始することができるか否かを判定したが、固定の閾値を用いる代わりに、適応的に変動する閾値を用いてもよい。例えば、セル内で通信を行うことのできる移動局の数は、ＰＤＳＣＨに割り当てられるパワーリソース量に依存するため、ＰＤＳＣＨに割り当てられるパワーリソース量に応じて上記閾値を適応的に変動させてもよい。すなわち、ＰＤＳＣＨに割り当てられるパワーリソース量が全体のパワーリソース量の５０％である場合には、上記閾値を「２０」とし、ＰＤＳＣＨに割り当てられるパワーリソース量が全体のパワーリソース量の２５％である場合には、上記閾値を「１０」としてもよい。あるいは、パワーリソースではなく、周波数リソース（リソースブロックの数）を用いて同様の制御を行ってもよい。
【０１６９】
次に、本実施の形態４に係る呼受付制御の動作について、図１７に示すフローチャートを用いて説明する。なお、本発明に係る呼受付制御と関連するスケジューリング動作は、実施の形態１におけるスケジューリング動作と同様であるため省略する。
図１７において、まずステップＳ４１において、ＬＴＥ呼受付判定部５００は、移動局４１がセル２０００において新規にEvolved UTRA and UTRAN(別名：Long Term Evolution,あるいは，Super 3G)を用いた通信を開始しようとしているという情報を取得する。
【０１７０】
ステップＳ４２において、ＬＴＥ呼受付判定部５００は、移動局伝送速度初期化部４６０より、平均伝送速度avrgＲｎが初期化された移動局の数を取得する。
ステップＳ４３において、平均伝送速度avrgＲｎが初期化された移動局の数が所定の閾値ＴＨ１、例えば「１０」よりも小さいか否かを判定し、平均伝送速度avrgＲｎが初期化された移動局の数が所定の閾値ＴＨ１よりも小さいと判定した場合にはステップＳ４４に進み、平均伝送速度avrgＲｎが初期化された移動局の数が所定の閾値ＴＨ１よりも小さくないと判定した場合にはステップＳ４６に進む。
【０１７１】
ステップＳ４４において、ＬＴＥ呼受付判定部５００は、移動局４１がセル２０００において新規にEvolved UTRA and UTRAN(別名：Long Term Evolution,あるいは，Super 3G)を用いた通信を開始することができると判定する。
ステップＳ４５において、新規呼設定部４１３は、移動局４１がセル２０００において新規にEvolved UTRA and UTRAN(別名：Long Term Evolution,あるいは，Super 3G)を用いた通信を行うための通信の設定を行う。
【０１７２】
ステップＳ４６において、セル２０００において通信を行っている移動局の数が所定の閾値ＴＨ２、例えば「２０」よりも小さいか否かを判定し、セル２０００において通信を行っている移動局の数が所定の閾値ＴＨ２よりも小さいと判定した場合はステップＳ４４に進み、セル２０００において通信を行っている移動局の数が所定の閾値ＴＨ２よりも小さくないと判定した場合にはステップＳ４７に進む。
【０１７３】
ステップＳ４７において、ＬＴＥ呼受付判定部５００は、移動局４１がセル２０００において新規にEvolved UTRA and UTRAN(別名：Long Term Evolution,あるいは，Super 3G)を用いた通信を開始することができないと判定する。
ステップＳ４８において、新規呼設定部４１３は、移動局４１はセル２０００において新規に通信を行うことができないと判断し、どのような通信の設定も行わないという処理を行ってもよい。この場合、移動局４１が行おうとした通信は呼損となる。
ここで、上記のステップＳ４２、Ｓ４３において、指標として平均伝送速度avrgＲｎが初期化された移動局の数を用いたが、代わりに、セル２０００において通信を行っている全ての移動局の数に対する、平均伝送速度avrgＲｎが初期化された移動局の数の割合を用いてもよい。
【０１７４】
さらに、上記においては、ステップＳ４２〜Ｓ４８の処理が、移動局４１がセル２０００において新規にEvolved UTRA and UTRAN(別名：Long Term Evolution,あるいは，Super 3G)を用いた通信を開始したタイミングで行われる場合を記載したが、予め決められた時間間隔でステップＳ４２〜Ｓ４８の処理を行ってもよい。例えば、３秒を判定周期とし、３秒毎にＳ４２〜Ｓ４８の処理を行ってもよい。この場合、セル２０００において新規に通信を行うことができると判定した場合には、新規呼設定部４１３は、その次の３秒間において、セル２０００においてEvolved UTRA and UTRAN(別名：Long Term Evolution,あるいは，Super 3G)を用いた通信を開始しようとした全ての移動局に対して、Evolved UTRA and UTRAN(別名：Long Term Evolution,あるいは，Super 3G)を用いた通信を行うための通信の設定を行う。また、セル２０００において新規に通信を行うことができないと判定した場合には、新規呼設定部４１３は、その次の３秒間において、セル２０００においてEvolved UTRA and UTRAN(別名：Long Term Evolution,あるいは，Super 3G)を用いた通信を開始しようとした移動局全てに対して、通信の設定を行わないという処理を行う。
【０１７５】
なお、上述した例では、ＬＴＥ呼受付判定部５００は、平均伝送速度avrgＲｎが初期化された移動局の数あるいは割合と、当該セルにおいて通信を行っている全移動局の数あるいは割合とに基づいて、移動局４１がセル２０００においてEvolved UTRA and UTRAN(別名：Long Term Evolution,あるいは，Super 3G)を用いた通信を新規に開始することができるか否かの判定を行ったが、より簡単に、各移動局ｎの伝送速度と、当該セルにおいて通信を行っている全移動局の数あるいは割合とに基づいて、移動局４１がセル２０００においてEvolved UTRA and UTRAN(別名：Long Term Evolution,あるいは，Super 3G)を用いた通信を新規に開始することができるか否かの判定を行ってもよい。例えば、移動局伝送速度計算部４７０より各移動局ｎの伝送速度avrgＲｎを受け取り、上記各移動局ｎの伝送速度avrgＲｎと、当該セルにおいて通信を行っている全移動局の数あるいは割合とに基づいて、移動局４１がセル２０００においてEvolved UTRA and UTRAN(別名：Long Term Evolution,あるいは，Super 3G)を用いた通信を新規に開始することができるか否かの判定を行ってもよい。具体的には、伝送速度avrgＲｎが所定の閾値よりも小さい移動局の数あるいは割合と、当該セルにおいて通信を行っている全移動局の数あるいは割合とに基づいて、移動局４１がセル２０００においてEvolved UTRA and UTRAN(別名：Long Term Evolution,あるいは，Super 3G)を用いた通信を新規に開始することができるか否かの判定を行ってもよい。
【０１７６】
（呼受付制御方法）
上述した呼受付制御装置においては、以下のような呼受付制御方法が採用されている。すなわち、複数の無線端末に対してパケットの送信を行う通信システムにおける呼受付制御方法であって、
前記無線端末の平均伝送速度を測定する伝送速度把握ステップ（例えば、図７のステップＳ１０３に対応）と、
最低伝送速度の値を設定する最低伝送速度設定ステップ（例えば、図７のステップＳ１０４に対応）と、
前記無線端末の平均伝送速度の値が、前記最低伝送速度の値よりも小さいか否かを判定する判定ステップ（例えば、図７のステップＳ１０６に対応）と、
前記平均伝送速度の値が前記最低伝送速度の値よりも小さいと判定された無線端末の数とその割合との少なくとも一方に基づいて、新規の無線端末の受付を制御する新規無線端末受付ステップ（例えば、図８のステップＳ２３からＳ２５に対応）と、
を有する呼受付制御方法が採用されている。このような呼受付制御方法によれば、平均伝送速度の値が最低伝送速度の値よりも小さいと判定された無線端末の数とその割合とのいずれか一方に基づいて、セル内の輻輳状態を推定し、呼受付制御を行うことにより、トラヒックの発生の仕方やセルの形態に関係無く適切に呼受付制御を行うことができる。
【産業上の利用可能性】
【０１７７】
本発明は、移動体通信におけるパケット通信の呼受付制御に利用することができる。
【図面の簡単な説明】
【０１７８】
【図１】本発明の実施形態に係る呼受付制御装置である無線基地局を用いた移動通信システムの構成例を示す図である。
【図２】図１中の無線基地局の構成例を示す機能ブロック図である。
【図３】図２中の無線基地局のベースバンド信号処理部の機能構成を示す機能ブロック図である。
【図４】図３中の無線基地局のＭＡＣ−ｈｓ処理部の機能構成を示す機能ブロック図である。
【図５】図１中の無線制御装置の機能構成を示す機能ブロック図である。
【図６】ＭＡＣ−ｈｓ処理部での呼受付判定動作を示すフローチャートである。
【図７】ＭＡＣ−ｈｓ処理部でのスケジューリング動作の一例を示すフローチャートである。
【図８】ＭＡＣ−ｈｓ処理部での呼受付判定動作の他の例を示すフローチャートである。
【図９】ＭＡＣ−ｈｓ処理部での呼受付判定動作を示すフローチャートである。
【図１０】本発明の他の実施形態に係る呼受付制御装置である無線基地局を用いた移動通信システムの構成例を示す図である。
【図１１】図１０中の無線基地局の構成例を示す機能ブロック図である。
【図１２】図１１中の無線基地局のベースバンド信号処理部の機能構成を示す機能ブロック図である。
【図１３】図１２中の無線基地局のＭＡＣ処理部の機能構成を示す機能ブロック図である。
【図１４】ＭＡＣ処理部での呼受付判定動作を示すフローチャートである。
【図１５】ＭＡＣ処理部でのスケジューリング動作の一例を示すフローチャートである。
【図１６】ＭＡＣ処理部での呼受付判定動作の他の例を示すフローチャートである。
【図１７】ＭＡＣ処理部での呼受付判定動作を示すフローチャートである。
【符号の説明】
【０１７９】
１０〜１２、２１、３０〜３２、４１  移動局
１００、４００  無線基地局
１０１、４０１  送受信アンテナ
１０２、４０２  アンプ部
１０３、４０３  送受信部
１０４、４０４  ベースバンド信号処理部
１０５、４０５  呼処理部
１０６、４０６  伝送路インターフェース
１１１、４１１  レイヤー１処理部
１１２  ＭＡＣ−ｈｓ処理部
４１２  ＭＡＣ処理部
４１４  ＲＬＣ処理部
１２０  フローコントロール部
１２１1〜１２１N  フローコントロール
１３０  ＭＡＣ−ｈｓリソース計算部
１３１  ＨＳ−ＤＳＣＨパワーリソース計算部
１３２  ＨＳ−ＤＳＣＨコードリソース計算部
１４０、４４０  スケジューラ部
１４１1〜１４１N  プライオリティキュー
１４２1〜１４２N  リオーダリング部
１４３1〜１４３N  ＨＡＲＱ部
１５０、４５０  ＴＦＲ選択部
１５１1〜１５１N  ＴＦＲselect機能
１６０、４６０  移動局伝送速度初期化部
１７０、４７０  移動局伝送速度計算部
１８０、４８０  評価関数計算部
１９０、４９０  最低伝送速度設定部
２００  呼受付判定部
３００  無線制御装置
３１０  新規呼設定部
４３０  ＭＡＣリソース計算部
４３１  パワーリソース計算部
４３２  周波数リソース計算部
５００  ＬＴＥ呼受付判定部
１０００、２０００  セル
【図１】
0004567654.tif 000002
【図２】
0004567654.tif 000003
【図３】
0004567654.tif 000004
【図４】
0004567654.tif 000005
【図５】
0004567654.tif 000006
【図６】
0004567654.tif 000007
【図７】
0004567654.tif 000008
【図８】
0004567654.tif 000009
【図９】
0004567654.tif 000010
【図１０】
0004567654.tif 000011
【図１１】
0004567654.tif 000012
【図１２】
0004567654.tif 000013
【図１３】
0004567654.tif 000014
【図１４】
0004567654.tif 000015
【図１５】
0004567654.tif 000016
【図１６】
0004567654.tif 000017
【図１７】
0004567654.tif 000018